(57)【要約】【課題】リールモータの回転角度を高い精度で検知することが可能な遊技機のリールユニットを提供する。【解決手段】リールフレーム２５１の内周側における、リールが所定の基準回転位置に回転するとリールセンサ２８１により検出可能な位置に、センサ検出部２５７が形成される。このように、リール（リールフレーム２５１）の外周面になるべく近い位置、すなわち回転半径がなるべく大きくなる位置にセンサ検出部２５７が設けられることで、リールセンサ２８１がセンサ検出部２５７を検出したときに検知されるリールモータの回転角度（ステッピングモータのステップ数）のバラツキを抑えることができる。【選択図】図３０
2018171162.tif 000002
【特許請求の範囲】
【請求項１】
外周面に所定の図柄が描かれたリールと、
前記リールを回転駆動するリールモータと、
前記リールモータが取り付けられて前記リールを回転可能に支持するリールブラケットとを備え、
前記リールは、
前記所定の図柄が描かれたリールテープと、
前記リールテープの両側の縁部のうち一方の縁部が貼り付けられる円環状のリールフレームと、
前記リールテープの両側の縁部のうち他方の縁部が貼り付けられて前記リールモータと連結されるリールホイールとを有し、
前記リールブラケットにおける前記リールフレームの近傍にリールセンサが設けられ、
前記リールフレームの内周側における、前記リールが所定の回転位置に回転すると前記リールセンサにより検出可能な位置に、センサ検出部が形成され、
前記リールセンサは、前記所定の回転位置に回転した前記リールの前記センサ検出部を検出することを特徴とする遊技機のリールユニット。
【請求項２】
前記センサ検出部は、前記リールフレームの内周側の略半周分に亘って延びるように形成されることを特徴とする請求項１に記載の遊技機のリールユニット。
【発明の詳細な説明】
【技術分野】
【０００１】
本発明は、スロットマシン等の遊技機のリールユニットに関する。
【背景技術】
【０００２】
遊技機の一種であるスロットマシンは、リールを回転させるリールユニットと、リールユニットの作動制御を行う主制御装置と、遊技の結果に応じてメダルを払い出す払出装置と、これらを収容する箱状の本体筐体（本体部材）と、本体筐体の前面開口部を開閉可能な前扉（開閉部材）とを備えて構成されている。また、前扉には、電飾装置やスピーカー等の演出装置と、所定の演出画像を表示可能な画像表示装置と、演出装置および画像表示装置等の制御を行う副制御装置とが取り付けられている。リールユニットには、リールを回転駆動するリールモータと、リールモータが取り付けられるリールブラケット等が設けられる。リールブラケットには、リールが所定の基準回転位置に回転したことを検出するためのリールセンサが設けられ、リールの内側には、リールが基準回転位置に回転するとリールセンサにより検出されるセンサ検出片が形成される（例えば、特許文献１を参照）。
【先行技術文献】
【特許文献】
【０００３】
【特許文献１】特開２０１６−７３４９２号公報
【発明の概要】
【発明が解決しようとする課題】
【０００４】
従来のリールユニットにおいては、センサ検出片がリールの内側の中間部に形成されるため、リールモータの取付け誤差等により、リールセンサがセンサ検出片を検出したときに検知されるリールモータの回転角度（例えば、ステッピングモータのステップ数）について、異なる製品間でバラツキが生じる可能性あった。
【０００５】
本発明は、このような課題に鑑みてなされたものであり、リールモータの回転角度を高い精度で検知することが可能な遊技機のリールユニットを提供することを目的とする。
【課題を解決するための手段】
【０００６】
このような目的達成のため、本発明に係る遊技機（例えば、実施形態におけるスロットマシン１）のリールユニットは、外周面に所定の図柄が描かれたリールと、前記リールを回転駆動するリールモータと、前記リールモータが取り付けられて前記リールを回転可能に支持するリールブラケットとを備え、前記リールは、前記所定の図柄が描かれたリールテープと、前記リールテープの両側の縁部のうち一方の縁部が貼り付けられる円環状のリールフレームと、前記リールテープの両側の縁部のうち他方の縁部が貼り付けられて前記リールモータと連結されるリールホイールとを有し、前記リールブラケットにおける前記リールフレームの近傍にリールセンサが設けられ、前記リールフレームの内周側における、前記リールが所定の回転位置に回転すると前記リールセンサにより検出可能な位置に、センサ検出部が形成され、前記リールセンサは、前記所定の回転位置に回転した前記リールの前記センサ検出部を検出する。
【発明の効果】
【０００７】
本発明によれば、リールモータの回転角度を高い精度で検知することが可能になる。
【図面の簡単な説明】
【０００８】
【図１】スロットマシンの正面図である。
【図２】スロットマシンの内部構造を示す正面図である。
【図３】リールベースの斜視図である。
【図４】リールベースの側面図である。
【図５】リールユニットを第１固定位置でリールベースに固定した状態を示す斜視図である。
【図６】リールユニットを第２固定位置でリールベースに固定した状態を示す斜視図である。
【図７】前扉の変形例を示す正面図である。
【図８】リールユニットの斜視図である。
【図９】第１実施形態に係るリールモジュールの斜視図である。
【図１０】第１実施形態に係るリールモジュールの左側面図である。
【図１１】第１実施形態に係るリールモジュールの右側面図である。
【図１２】第１実施形態に係るリールモジュールの分解斜視図である。
【図１３】第１実施形態に係るリールモジュールの側断面図である。
【図１４】リールモータの出力軸とリールとを連結させる途中を示す側断面図である。
【図１５】リールモータの出力軸とリールとを連結させた状態を示す側断面図である。
【図１６】リールモータのマシンキー部とリール連結部材とを係合させる途中を示す側面図である。
【図１７】リールモータのマシンキー部とリール連結部材とを係合させた状態を示す側面図である。
【図１８】リールモータのマシンキー部とリール連結部材とを係合させる途中を示す側面拡大図である。
【図１９】リールモータのマシンキー部とリール連結部材とを係合させた状態を示す側面拡大図である。
【図２０】リールホイールの左側を示す斜視図である。
【図２１】リールホイールの右側を示す斜視図である。
【図２２】リールフレームの斜視図である。
【図２３】リール連結部材の斜視図である。
【図２４】（Ａ）はリール連結部材を左方から見た図であり、（Ｂ）はリール連結部材を右方から見た図であり、（Ｃ）はリール連結部材を前方側から見た図である。
【図２５】モータカバーの斜視図である。
【図２６】（Ａ）はモータカバーを側方から見た図であり、（Ｂ）はモータカバーを底部の方から見た図である。
【図２７】モータカバーの各カバー部材を結合させる途中を示す斜視図である。
【図２８】（Ａ）は第１カバー部材を一方から見た斜視図であり、（Ｂ）は第１カバー部材を他の方から見た斜視図である。
【図２９】（Ａ）は第２カバー部材を一方から見た斜視図であり、（Ｂ）は第２カバー部材を他の方から見た斜視図である。
【図３０】検出状態のリールセンサを示す斜視図である。
【図３１】非検出状態のリールセンサを示す斜視図である。
【図３２】（Ａ）は検出状態のリールセンサを示す側断面図であり、（Ｂ）は非検出状態のリールセンサを示す側断面図である。
【図３３】バックランプユニットを左方から見た斜視図である。
【図３４】バックランプユニットを右方から見た斜視図である。
【図３５】バックランプユニットの背面図である。
【図３６】バックランプユニットの側断面図である。
【図３７】バックランプユニットの下部を拡大して示す側断面図である。
【図３８】バックランプハウスの背面図である。
【図３９】リールセンサおよびリールフレームの変形例を示す斜視図である。
【図４０】リールフレームの変形例を示す斜視図である。
【図４１】検出状態のリールセンサの変形例を示す斜視図である。
【図４２】非検出状態のリールセンサの変形例を示す斜視図である。
【図４３】第２実施形態に係るリールモジュールの斜視図である。
【図４４】第２実施形態に係るリールモジュールの左側面図である。
【図４５】第２実施形態に係るリールモジュールの右側面図である。
【図４６】第２実施形態に係るリールモジュールの分解斜視図である。
【図４７】モータカバー部の斜視図である。
【図４８】モータカバー部の側断面図である。
【図４９】ブラケット側係合部とプレート側係合部とが係合した状態を示す側断面図である。
【図５０】第２実施形態に係るリールブラケットの斜視図である。
【図５１】第２実施形態に係るリールブラケットの右側面図である。
【図５２】モータ固定プレートの斜視図である。
【図５３】モータ固定プレートの右側面図である。
【図５４】リールの変形例を示す斜視図である。
【発明を実施するための形態】
【０００９】
以下、本発明の実施形態について図面を参照して説明する。まず、本発明に係る遊技機の一例であるスロットマシンの基本的な構成について、図１〜図２を参照して説明する。なお、以下の説明では、図２において各矢印で示す方向をそれぞれ、上下方向、前後方向、左右方向として説明する。
【００１０】
＜スロットマシンの外部構成＞
本実施形態に係るスロットマシン１は、図１〜図２に示すように、前面（前方）が開口した箱状の筐体５と、筐体５の前面開口部に開閉可能に取り付けられた前扉２とを備えている。前扉２は、正面視において、筐体５の左側板５ａの前部に配設されたヒンジ機構６ａ〜６ｃを用いて筐体５の前面開口部に対し横開き開閉可能に取り付けられている。
【００１１】
前扉２の上部には、その裏面側に配設された画像表示装置１１の表示画面１１ａが前方を臨むように配置されている。前扉２の上部前面側における表示画面１１ａの上側周辺部には、第１演出ランプ１２と、左右の第２演出ランプ１３ａ，１３ｂが設けられている。前扉２の上部前面側における表示画面１１ａの下側周辺部には、左右の上部スピーカー１５ａ，１５ｂと、所定の装飾が施された装飾部材１６が設けられている。
【００１２】
前扉２の中間部には、筐体５内に横並びに配設された３個のリール２０２ａ，２０２ｂ，２０２ｃの表面が臨むリール窓Ｗが設けられている。前扉２の中間部におけるリール窓Ｗの下方には、操作パネル２１が設けられている。操作パネル２１の上面側には、遊技メダル（遊技媒体）を投入するためのメダル投入口２２と、クレジットされた範囲内で遊技メダルをベットするためのＢＥＴスイッチユニット２３と、演出に関する操作を行うための演出スイッチユニット２４が設けられている。操作パネル２１の前面側には、全リール２０２ａ〜２０２ｃを回転開始させる際に操作されるスタートレバー（スタートスイッチ）２５と、各リール２０２ａ，２０２ｂ，２０２ｃの回転を個別に停止させるための３個のストップスイッチ２６ａ，２６ｂ，２６ｃ（図中左側のストップスイッチ２６ａは左側の第１リール２０２ａに対応し、中央のストップスイッチ２６ｂは中央の第２リール２０２ｂに対応し、右側のストップスイッチ２６ｃは右側の第３リール２０２ｃに対応する）と、メダル投入口２２から投入されて滞留した遊技メダルを返却するためのリジェクトスイッチ２７が設けられている。また、前扉２の中間部における操作パネル２１の右方には
、前扉２を開閉させるためのシリンダー錠２８が設けられている。
【００１３】
前扉２の後面側において、メダル投入口２２から延びるメダル通路は、投入された遊技メダルが有効に受け入れられる場合に当該遊技メダルが通過する受入通路（後述のホッパー５１に通ずる）と、投入された遊技メダルが受け入れられない場合に当該遊技メダルが通過する返却通路（後述の遊技メダル払出口４１に通ずる）とに分岐しており、その分岐部にはメダルセレクタ（図示せず）が設けられている。メダルセレクタは、投入された遊技メダルが有効に受け入れられる期間においては、メダル投入口２２に投入された遊技メダルを受入通路に導き、それ以外の期間においては、メダル投入口２２に投入された遊技メダルを返却通路に導くように、受入通路と返却通路を選択的に、一方を開状態に他方を閉状態にできるように構成されている。
【００１４】
リール窓Ｗは、図１に示すように、３個のリール２０２ａ〜２０２ｃが全て停止した際に、リール毎に３個の図柄、合計９個の図柄が遊技者から視認可能に表示されるように構成されている。リール２０２ａ〜２０２ｃの各中段の図柄表示領域を水平（横一直線）に結ぶ入賞ライン２９は、規定数の遊技メダルがベットされることにより有効化される入賞ラインであり、有効化された入賞ライン２９上に停止表示された図柄組合せにより遊技役の成立の有無が判定されるように構成されている。以下、有効化された入賞ライン２９のことを、適宜「有効ライン２９」と称する。
【００１５】
また、スロットマシン１には、ＬＥＤランプ等により構成される各種の表示用ランプが設けられている。本実施形態では、表示用ランプとして、ＭＡＸ‐ＢＥＴスイッチ表示ランプ（図示せず）、ＢＥＴ数表示ランプ４６ｂ、投入可能表示（ＩＮＳＥＲＴ）ランプ４６ｃ、遊技開始表示（ＳＴＡＲＴ）ランプ４６ｄ、再遊技表示（ＲＥＰＬＡＹ）ランプ４６ｅ、状態表示（ＧＡＭＥ  ＯＶＥＲ）ランプ４６ｆ、貯留枚数表示（ＣＲＥＤＩＴ）ランプ４６ｈ、および払出数表示（ＰＡＹＯＵＴ）ランプ４６ｊを備えている。これらの表示用ランプは、後述の主制御装置６０により制御されるように構成されている。
【００１６】
ＭＡＸ‐ＢＥＴスイッチ表示ランプ（図示せず）は、遊技メダルをベットすることができる状況下で点灯されるものであり、ＢＥＴスイッチユニット２３に設けられたＭＡＸ‐ＢＥＴスイッチ（図示せず）の内部に配置され、点灯時にはＭＡＸ‐ＢＥＴスイッチを部分的または全体的に光らせるようになっている。その他の表示用ランプは、リール窓Ｗの側部または下部に配置されている。
【００１７】
ＢＥＴ数表示ランプ４６ｂは、ベットされた遊技メダルの枚数を表示するもので、ベットされた遊技メダルが、１枚の場合に点灯される１‐ＢＥＴ表示ランプ４６ｂＣと、２枚の場合に点灯される２‐ＢＥＴ表示ランプ４６ｂＢと、３枚の場合に点灯される３‐ＢＥＴ表示ランプ４６ｂＡとから構成されている。投入可能表示ランプ４６ｃは、遊技メダルを投入することができる状況下で点灯されるものであり、遊技開始表示ランプ４６ｄは、スタートレバー２５を操作して遊技を開始させることができる状況下で点灯されるものである。再遊技表示ランプ４６ｅは、任意の遊技において再遊技役（遊技メダルの払出しはないが、遊技者が保有する遊技メダルの数を減らすことなく（新たに遊技媒体を投入することなく）次の遊技を行うことが許可される遊技役）が成立し、自動ベット処理（遊技者が保有する遊技メダルの数を減らすことなく、前回の遊技におけるベット数と同数の遊技メダルがベットされた状態を設定する処理）により遊技メダルが自動的にベットされた際に点灯されるものである。
【００１８】
状態表示ランプ４６ｆは、ベットされている遊技メダル、および／または貯留されている遊技メダルを精算するときに点灯される。貯留枚数表示ランプ４６ｈは、貯留（クレジット）された遊技メダルの枚数を７セグメント表示するものであり、払出数表示ランプ４
６ｊは、小役（成立時に所定枚数の遊技メダルが払い出されるように構成された遊技役）が成立した際に払い出される遊技メダルの枚数を７セグメント表示するものである。
【００１９】
また、払出数表示ランプ４６ｊは、スロットマシン１に何らかの異常（エラー）が発生した際に、そのエラーの種類を示す文字（アルファベット）や数字を表示するようにも構成されている。さらに、払出数表示ランプ４６ｊは、各ストップスイッチ２６ａ〜２６ｃの操作順（押し順）を示すナビ番号（記号や数字）を表示する機能も有している。
【００２０】
前扉２の下部前面側には、透明な下パネルカバー３１が取り付けられている。下パネルカバー３１の裏面側には、所定の図柄が設けられた半透明の下パネルベースおよび下パネル照明灯（いずれも図示せず）が取り付けられており、この下パネル照明灯を点灯させることにより、下パネルベースの図柄を後面側から照明するように構成されている。前扉２の下部前面側における下パネルカバー３１の左右には、左右の下部スピーカー３２ａ，３２ｂが設けられている。
【００２１】
前扉２の下端部には、受け皿アッセンブリ４０が設けられている。受け皿アッセンブリ４０には、遊技メダルを払い出すための遊技メダル払出口４１が開設されているとともに、遊技メダル払出口４１に臨むようにして遊技メダルを貯留するための遊技メダル貯留皿４２が設けられている。なお、遊技メダル貯留皿４２には、灰皿（図示せず）が設けられるようにしてもよい。
【００２２】
＜スロットマシンの内部構成＞
図２に示すように、筐体５内の下部（底板５ｄ上）には、遊技の結果、所定の入賞態様が構成された場合に獲得される遊技メダルを払い出すメダル払出装置５０が設けられている。メダル払出装置５０は、遊技メダルを検出するためのメダル検出部（図示せず）と、投入されて有効に受け入れられた遊技メダルを物理的に収容する（貯留する）ホッパー５１とを有している。メダル払出装置５０の近傍位置には、ホッパー５１から溢れた遊技メダルを収納するための補助収納庫５３が設けられるとともに、この補助収納庫５３が満杯状態（補助収納庫５３から遊技メダルが溢れる可能性のある状態）であるか否かを検出する満杯検出部（図示せず）が設けられている。また、メダル払出装置５０の左方位置には、スロットマシン１に搭載された種々の装置に電力を供給する電源装置５５が設けられている。
【００２３】
筐体５内の中央部には、左右の側板５ａ，５ｂに架け渡されるようにリールベース７０が設けられており、このリールベース７０上にリールユニット２００が載置されている。リールユニット２００は、詳細は後述するが、上述の３個のリール２０２ａ，２０２ｂ，２０２ｃと、これらのリール２０２ａ〜２０２ｃをそれぞれ回転させる３個のリールモータ２６１（図１２等を参照）とを有して構成されている。リール２０２ａ〜２０２ｃはそれぞれ、透光性を有する部材により構成されており、その外周面には、複数種類の図柄が表示された、透光性を有するリールテープ２１１（図１２等を参照）が貼り付けられている。また、リール２０２ａ〜２０２ｃの内面側にはそれぞれバックランプユニット４００（図１２等を参照）が配設されており、これらのバックランプユニット４００を点灯させることにより、リール窓Ｗ内に臨む各リール２０２ａ，２０２ｂ，２０２ｃの領域を内面側から全体的に照明したり、停止表示された所定の図柄組合せ（例えば、有効ライン２９上や、有効ライン２９上とは異なる入賞ライン上に並んだ遊技役の対応図柄等）を目立たせるように各リール２０２ａ，２０２ｂ，２０２ｃの一部領域のみを照明したりするように構成されている。
【００２４】
筐体５内の上部（右側板５ｂの上部内面）には、遊技の進行に係る主たる制御（リール２０２ａ〜２０２ｃの駆動制御や役決定処理等を含む）を行う主制御装置６０が設けられ
ている。なお、遊技状況に応じて遊技の興趣向上等を目的とする種々の演出制御（画像表示装置１１による演出画像表示制御や、上部スピーカー１５ａ，１５ｂ等のスピーカーによる音声発生制御等）を行う副制御装置（図示せず）は前扉２の後面側に設けられている。主制御装置６０と副制御装置はケーブルハーネスを用いて電気通信可能に接続されており、これら装置間の情報伝達は、主制御装置６０から副制御装置への一方向のみ行うことが可能となっている。
【００２５】
＜遊技を行うための基本操作＞
スロットマシン１で遊技を行うには、まず実際にメダル投入口２２に遊技メダルを投入することによりベットするか、ＢＥＴスイッチユニット２３に設けられた１‐ＢＥＴスイッチまたはＭＡＸ‐ＢＥＴスイッチ（図示せず）の何れかを操作してクレジットの範囲内で規定数の遊技メダルをベットすることにより、複数の入賞ラインのうち入賞ライン２９を有効化する。本実施形態では、３枚の遊技メダルがベットされると入賞ライン２９が有効化される構成であるが、規定数を適宜変更したり、遊技メダルのベット数に応じて有効化される入賞ラインを変更するようにしてもよい。
【００２６】
次に、遊技者がスタートレバー２５を操作すると、ベット数が確定する（ベットされた遊技メダルが遊技の用に供される）とともに、役決定処理が行われ、その後、最小遊技時間（１つの遊技において全リールが回転開始してから、次の遊技において全リールを回転開始させるまでに最低限確保しなければならないとされる時間（例えば、４.１秒間）の
こと）が経過したことを確認した後、各リール２０２ａ〜２０２ｃが回転を開始し、リール２０２ａ〜２０２ｃの外周表面に表示された複数種類の図柄がリール窓Ｗ内を上下に（通常、上から下に）移動表示される。そして、リール２０２ａ〜２０２ｃの回転が所定の速度に達して定速回転となり、かつ、全てのリールのインデックスを検知すると各ストップスイッチ２６ａ〜２６ｃが有効化され（ストップスイッチの操作が有効に受付け可能とされ）、遊技者が左側のストップスイッチ２６ａを操作すると第１リール２０２ａの回転が停止し、中央のストップスイッチ２６ｂを操作すると第２リール２０２ｂの回転が停止し、右側のストップスイッチ２６ｃを操作すると第３リール２０２ｃの回転が停止するように構成されている。
【００２７】
ここで、有効ライン２９上に停止表示された図柄組合せが予め定めた入賞態様（遊技メダルを獲得することができる遊技役の対応図柄）となっている場合には、各入賞態様に対応した枚数の遊技メダルがメダル払出装置５０により払い出されるか、またはクレジットとして加算される。
【００２８】
＜リールベースの構成＞
次に、本実施形態に係るリールベース７０の構成について図３〜図６を参照して説明する。リールベース７０は、図３および図４に示すように、金属材料を用いて板状に形成される。リールベース７０の上に、リールユニット２００（リールモジュール取付部材５０１）が前方を向いて載置される。リールベース７０の左前部下側に、前方を向く板状の左側第１固定部７１が折り曲げ形成される。リールベース７０の右前部下側に、前方を向く板状の右側第１固定部７２が折り曲げ形成される。左側第１固定部７１と右側第１固定部７２とは、前後方向の位置が同じである。リールユニット２００がリールベース７０の上に載置された状態で、左側第１固定部７１および右側第１固定部７２の前面に、リールユニット２００（リールモジュール取付部材５０１）の前部下側に形成された下側フランジ部５０８を当接させることができるようになっている。左側ロック部材７６を用いて、下側フランジ部５０８の左側部分を左側第１固定部７１に固定し、右側ロック部材７７を用いて、下側フランジ部５０８の右側部分を右側第１固定部７２に固定することで、図５に示すように、所定の第１固定位置でリールユニット２００をリールベース７０に固定することができる。
【００２９】
左側第１固定部７１には、左側ロック部材７６を挿通させるための左固定穴７１ａが形成される。右側第１固定部７２には、右側ロック部材７７を挿通させるための右固定穴７２ａが形成される。下側フランジ部５０８を左側第１固定部７１および右側第１固定部７２に固定する固定手段として、左側ロック部材７６および右側ロック部材７７に限らず、例えば、ナイラッチやボルト等の固定手段を用いることができる。
【００３０】
リールベース７０の前部下側における左側第１固定部７１および右側第１固定部７２の後方に繋がって、前方を向く板状の第２固定部７３が折り曲げ形成される。第２固定部７３は、左側第１固定部７１および右側第１固定部７２に対して後方にオフセットした位置に形成される。リールユニット２００がリールベース７０の上に載置された状態で、第２固定部７３の前面に、リールユニット２００の下側フランジ部５０８を当接させることができるようになっている。なおこのとき、下側フランジ部５０８は、左側第１固定部７１および右側第１固定部７２と、第２固定部７３との間の隙間に配置される。中央ロック部材７８を用いて、下側フランジ部５０８の中央部分を第２固定部７３に固定することで、図６に示すように、第１固定位置よりも後方の第２固定位置でリールユニット２００をリールベース７０に固定することができる。
【００３１】
第２固定部７３には、中央ロック部材７８を挿通させるための中央固定穴７３ａが形成される。下側フランジ部５０８を第２固定部７３に固定する固定手段として、中央ロック部材７８に限らず、例えば、ナイラッチやボルト等の固定手段を用いることができる。リールベース７０の上面側における左後方に、開口部を有する板状の左側係止部７４が形成される。左側係止部７４は、リールユニット２００（リールモジュール取付部材５０１）の左下部後側に形成された左突起部（図示せず）が挿通されて、リールユニット２００の上方への移動を規制するようになっている。リールベース７０の上面側における右後方に、開口部を有する板状の右側係止部７５が形成される。右側係止部７５は、リールユニット２００（リールモジュール取付部材５０１）の右下部後側に形成された右突起部（図示せず）が挿通されて、リールユニット２００の上方への移動を規制するようになっている。
【００３２】
以上のように構成されるリールベース７０に、リールユニット２００を載置固定するには、まず、リールユニット２００を筐体５の内部に収容するようにしてリールベース７０の上に載置する。そして、リールユニット２００を前述の第１固定位置もしくは第２固定位置でリールベース７０に固定する。リールユニット２００の固定位置（第１固定位置で固定するか、もしくは第２固定位置で固定するか）は、前扉に取り付けられる画像表示装置の仕様に応じて選択される。本実施形態では、上述の前扉２に代えて、当該前扉２とは仕様が異なる変形例の前扉１０２（図７を参照）を筐体５に取り付けることができるようになっている。
【００３３】
上述の前扉２が筐体５に取り付けられる場合、リールユニット２００を第１固定位置でリールベース７０に固定する。この場合、必要に応じて手動でリールユニット２００を移動させ、リールベース７０の左側第１固定部７１および右側第１固定部７２の前面に、リールユニット２００の下側フランジ部５０８を当接させる。なおこのとき、リールユニット２００の左突起部および右突起部（図示せず）をリールベース７０の左側係止部７４および右側係止部７５に挿通させる。そして、左側ロック部材７６を用いて、下側フランジ部５０８の左側部分を左側第１固定部７１に固定し、右側ロック部材７７を用いて、下側フランジ部５０８の右側部分を右側第１固定部７２に固定する。これにより、図５に示すように、リールユニット２００が第１固定位置でリールベース７０に固定される。
【００３４】
変形例の前扉１０２は、上述の画像表示装置１１よりも大型の画像表示装置１１１（図
７を参照：詳細は後述する）を備えるため、上述の前扉２と比較して、前扉１０２の裏側部分の厚さが厚くなる。そのため、変形例の前扉１０２が筐体５に取り付けられる場合、リールユニット２００を第１固定位置よりも後方の第２固定位置でリールベース７０に固定する。この場合、必要に応じて手動でリールユニット２００を移動させ、リールベース７０の第２固定部７３の前面に、リールユニット２００の下側フランジ部５０８を当接させる。なおこのとき、リールユニット２００の左突起部および右突起部（図示せず）をリールベース７０の左側係止部７４および右側係止部７５に挿通させる。そして、中央ロック部材７８を用いて、下側フランジ部５０８の中央部分を第２固定部７３に固定する。これにより、図６に示すように、リールユニット２００が第２固定位置でリールベース７０に固定される。
【００３５】
このように、本実施形態では、前扉の画像表示装置の仕様に応じて選択された第１固定位置もしくは第２固定位置で、リールユニット２００がリールベース７０に固定される。これにより、画像表示装置の仕様に応じた専用のリールベースを作製する必要がなく、リールユニット２００が載置されるリールベース７０を共用化することが可能になる。
【００３６】
＜前扉の変形例＞
次に、本実施形態の前扉２とは仕様が異なる変形例の前扉１０２について、図７を参照して説明する。変形例の前扉１０２は、上述の前扉２と同様に、筐体５の左側板５ａの前部に配設されたヒンジ機構６ａ〜６ｃを用いて筐体５の前面開口部に対し横開き開閉可能に取り付けられる。前扉１０２の上部前面側には、第１演出ランプ１１２と、左右の第２演出ランプ１１３ａ，１１３ｂが設けられている。また、前扉１０２の上部前面側には、左右の上部スピーカー１１５ａ，１１５ｂと、所定の装飾が施された装飾部材１１６が設けられている。前扉１０２の中間部には、その裏面側に配設された画像表示装置１１１の表示画面１１１ａが前方を臨むように配置されている。
【００３７】
変形例の画像表示装置１１１は、上述の前扉２の画像表示装置１１よりも大型であり、画像表示装置１１１の下側に透明のリール窓Ｗ２が形成されている。画像表示装置１１１の表示画面１１１ａは、画像表示装置１１１の前面におけるリール窓Ｗ２を除いた領域に形成される。前扉１０２の中間部におけるリール窓Ｗ２の下方には、操作パネル１２１が設けられている。操作パネル１２１の上面側には、メダル投入口１２２と、ＢＥＴスイッチユニット１２３と、演出スイッチユニット１２４と、リジェクトスイッチ１２７が設けられている。操作パネル１２１の前面側には、スタートレバー（スタートスイッチ）１２５と、３個のストップスイッチ１２６ａ，１２６ｂ，１２６ｃが設けられている。また、前扉１０２の中間部における操作パネル１２１の右方には、シリンダー錠１２８が設けられている。メダル投入口１２２、ＢＥＴスイッチユニット１２３、演出スイッチユニット１２４、スタートレバー１２５、各ストップスイッチ１２６ａ，１２６ｂ，１２６ｃ、リジェクトスイッチ１２７、およびシリンダー錠１２８は、上述の前扉２に設けられたものと同様の機能を有している。
【００３８】
前扉１０２の後面側において、メダル投入口１２２から延びるメダル通路は、上述の前扉２と同様、受入通路と返却通路とに分岐しており、その分岐部にはメダルセレクタ（図示せず）が設けられている。メダルセレクタは、投入された遊技メダルが有効に受け入れられる期間においては、メダル投入口１２２に投入された遊技メダルを受入通路に導き、それ以外の期間においては、メダル投入口１２２に投入された遊技メダルを返却通路に導くように、受入通路と返却通路を選択的に、一方を開状態に他方を閉状態にできるように構成されている。
【００３９】
また、詳細な図示を省略するが、操作パネル１２１には、ＭＡＸ‐ＢＥＴスイッチ表示部、ＢＥＴ数表示部、投入可能表示部、遊技開始表示部、再遊技表示部、状態表示部、貯
留枚数表示部、および払出数表示部が設けられている。これらの表示部は、上述の前扉２に設けられた各種の表示用ランプと同様の機能を有している。
【００４０】
前扉１０２の下部前面側には、透明な下パネルカバー１３１が取り付けられている。下パネルカバー１３１の裏面側には、所定の図柄が設けられた半透明の下パネルベースおよび下パネル照明灯（いずれも図示せず）が取り付けられており、この下パネル照明灯を点灯させることにより、下パネルベースの図柄を後面側から照明するように構成されている。前扉１０２の下部前面側における下パネルカバー１３１の下方には、左右の下部スピーカー１３２ａ，１３２ｂが設けられている。
【００４１】
前扉１０２の下端部には、受け皿アッセンブリ１４０が設けられている。受け皿アッセンブリ１４０には、遊技メダルを払い出すための遊技メダル払出口１４１が開設されているとともに、遊技メダル払出口１４１に臨むようにして遊技メダルを貯留するための遊技メダル貯留皿１４２が設けられている。なお、遊技メダル貯留皿１４２には、灰皿（図示せず）が設けられるようにしてもよい。
【００４２】
変形例の前扉１０２は、大型の画像表示装置１１１を備えるため、上述の前扉２と比較して、前扉１０２の裏側部分の厚さが厚くなる。そのため、変形例の前扉１０２が筐体５に取り付けられる場合、前述したように、リールユニット２００が第１固定位置よりも後方の第２固定位置でリールベース７０に固定される。
【００４３】
＜リールユニットの構成＞
次に、本実施形態に係るリールユニット２００の概要構成について図８を参照して説明する。リールユニット２００は、図８に示すように、第１〜第３リールモジュール２０１ａ〜２０１ｃと、リールモジュール取付部材５０１と、リール中継基板５２１と、基板カバー５２６とを有して構成される。リールモジュール取付部材５０１は、樹脂材料を用いて、前方および右方が開口した箱状に形成され、第１〜第３リールモジュール２０１ａ〜２０１ｃを左右に並べて収容可能に構成される。なお、第１リールモジュール２０１ａがリールモジュール取付部材５０１の左側に収容され、第２リールモジュール２０１ｂがリールモジュール取付部材５０１の中央に収容され、第３リールモジュール２０１ｃがリールモジュール取付部材５０１の右側に収容されるようになっている。
【００４４】
リールモジュール取付部材５０１の前部上側に、上側フランジ部５０２が形成される。リールモジュール取付部材５０１の前部下側に、下側フランジ部５０８が形成される。上側フランジ部５０２の中間部左側に、第１リールモジュール２０１ａにおけるリールブラケット４５１（図９を参照）の上側ブラケット結合部４５２が結合される。下側フランジ部５０８の中間部左側に、第１リールモジュール２０１ａにおけるリールブラケット４５１の下側ブラケット結合部４５８が結合される。上側フランジ部５０２の中間部右側に、第２リールモジュール２０１ｂにおけるリールブラケット４５１の上側ブラケット結合部４５２が結合される。下側フランジ部５０８の中間部右側に、第２リールモジュール２０１ｂにおけるリールブラケット４５１の下側ブラケット結合部４５８が結合される。上側フランジ部５０２の右端部近傍に、第３リールモジュール２０１ｃにおけるリールブラケット４５１の上側ブラケット結合部４５２が結合される。下側フランジ部５０８の右端部近傍に、第３リールモジュール２０１ｃにおけるリールブラケット４５１の下側ブラケット結合部４５８が結合される。これにより、第１〜第３リールモジュール２０１ａ〜２０１ｃのリールブラケット４５１がリールモジュール取付部材５０１の上下のフランジ部５０２，５０８に結合される。
【００４５】
下側フランジ部５０８の左側に、左側ロック部材７６が取り付けられる。左側ロック部材７６は、第１固定位置でリールユニット２００をリールベース７０に固定する際、下側
フランジ部５０８の左側部分をリールベース７０の左側第１固定部７１に固定する。下側フランジ部５０８の右側に、右側ロック部材７７が取り付けられる。右側ロック部材７７は、第１固定位置でリールユニット２００をリールベース７０に固定する際、下側フランジ部５０８の右側部分をリールベース７０の右側第１固定部７２に固定する。下側フランジ部５０８の中央に、中央ロック部材７８が取り付けられる。中央ロック部材７８は、第２固定位置でリールユニット２００をリールベース７０に固定する際、下側フランジ部５０８の中央部分をリールベース７０の第２固定部７３に固定する。
【００４６】
リールモジュール取付部材５０１の上部に、基板取付部５１１が形成される。基板取付部５１１には、リール中継基板５２１と、基板カバー５２６とが取り付けられる。リール中継基板５２１は、ネジ等の固定手段（図示せず）により基板取付部５１１に取り付け固定される。リール中継基板５２１は、主制御装置６０と電気的に接続され、主制御装置６０から送信されたリール制御信号に応じて、第１〜第３リールモジュール２０１ａ〜２０１ｃの作動制御を行う。基板カバー５２６は、透明の樹脂材料を用いて、リール中継基板５２１を上方から覆うことが可能な箱状に形成される。基板カバー５２６は、カバー結合部材（図示せず）により基板取付部５１１に結合されて取り付けられるようになっている。リールモジュール取付部材５０１の後部に、副制御装置と電気的に接続されるランプ中継基板（図示せず）が設けられる。
【００４７】
＜第１実施形態のリールモジュールの構成＞
次に、第１〜第３リールモジュール２０１ａ〜２０１ｃの第１実施形態について図９〜図３８を参照して説明する。第２リールモジュール２０１ｂは、第１リール２０２ａと図柄が異なる第２リール２０２ｂを用いる他は、第１リールモジュール２０１ａと同様の構成であり、詳細な図示および説明を省略する。第３リールモジュール２０１ｃは、第１リール２０２ａ（および第２リール２０２ｂ）と図柄が異なる第３リール２０２ｃを用いる他は、第１リールモジュール２０１ａと同様の構成であり、詳細な図示および説明を省略する。
【００４８】
第１実施形態の第１リールモジュール２０１ａは、図９〜図１２に示すように、第１リール２０２ａと、リールモータ２６１と、リール連結部材２７１と、リールセンサ２８１と、モータカバー３００と、バックランプユニット４００と、リールブラケット４５１とを有して構成される。第１リール２０２ａは、図１２に示すように、リールテープ２１１と、リールホイール２２１と、リールフレーム２５１とを有して構成される。リールテープ２１１は、細長い帯状に形成されたフィルム材の端部同士を接合させることで、外周面に複数の図柄（図示せず）が描かれた環状に形成される。リールテープ２１１は、リールテープ２１１の一方（リールブラケット４５１に近い右の方）の側縁部がリールフレーム２５１の外周面部２５５（図２２を参照）に巻回され、他方（リールブラケット４５１から遠い左の方）の側縁部がリールホイール２２１の外周面部２２５（図２０を参照）に巻回されることで、リールテープ２１１およびリールホイール２２１により円環状に成形される。
【００４９】
リールホイール２２１は、図２０および図２１に示すように、樹脂材料を用いて略円盤状に形成され、円環状に形成された外周リング部２２４と、リールモータ２６１の出力軸２６６と連結されるハブ部２３１と、外周リング部２２４とハブ部２３１とを連結する複数のスポーク部２２８とを有している。外周リング部２２４には、リールテープ２１１の他方（リールブラケット４５１から遠い左の方）の側縁部が貼り付けられて巻回される外周面部２２５が形成される。外周面部２２５の他方の端部に、外周リング部２２４の径方向外側へ突出してリールテープ２１１の他方の側縁部に沿って延びるリム部２２６が形成される。
【００５０】
ハブ部２３１は、直径が異なる筒状に形成されて同軸位置に配置された外筒部２３２および内筒部２４２を有している。ハブ部２３１における外筒部２３２と内筒部２４２との間に、外筒部２３２と内筒部２４２とを結合させる台形状の結合リブ部２３４が複数形成される。外筒部２３２の一方（リールブラケット４５１に近い右の方）の端部は平板状の外筒側隔壁部２３３によって一部が塞がれ、外筒部２３２の他方（リールブラケット４５１から遠い左の方）の端部は開口している。外筒側隔壁部２３３は、外筒部２３２の一方の端部と内筒部２４２の他方の端部とに繋がり、各結合リブ部２３４の端部にも繋がっている。
【００５１】
内筒部２４２は、外筒部２３２に対して一方（リールブラケット４５１に近い右の方）にずれて配置される。内筒部２４２の中央に、貫通穴２４３ａが形成された軸受筒部２４３が形成される。軸受筒部２４３の貫通穴２４３ａに、リールモータ２６１の出力軸２６６が挿通される（図１４および図１５を参照）。図２１に示すように、内筒部２４２の内側における一方の端部側に、一対のリール側係合部２４４が形成される。一対のリール側係合部２４４は、軸受筒部２４３（貫通穴２４３ａ）の一方の端部に繋がって側方に延びる溝状に形成され、リールモータ２６１の出力軸２６６に設けられた一対の軸側係合部２６７（先端側係合部２６９）と係合するようになっている（図１４および図１５を参照）。なお、図１４に示すように、軸受筒部２４３の貫通穴２４３ａは、リールモータ２６１の出力軸２６６の径よりも大きい穴径を有しており、軸受筒部２４３と出力軸２６６との間に、リール側係合部２４４と係合した状態の軸側係合部２６７の一部（マシンキー部２６８）を露出させる筒状の隙間が形成されるようになっている。
【００５２】
図２１に示すように、内筒部２４２の内側における一方の端部側に、内筒部２４２と軸受筒部２４３とを結合させる補強リブ部２４５が複数形成される。図２０に示すように、内筒部２４２の内側に、軸受筒部２４３の他方の端部と内筒部２４２とに繋がる内筒側隔壁部２４６が形成される。内筒部２４２の内側における他方の端部側に、内筒部２４２の内周部と内筒側隔壁部２４６とに囲まれたリール連結部材受容部２４７が形成される。リール連結部材受容部２４７は、リール連結部材２７１の挿入部２７２が軸受筒部２４３と出力軸２６６との隙間に挿入されると、リール連結部材２７１の露出部２７６を受容するようになっている（図１５を参照）。リール連結部材受容部２４７の底部に、リール連結部材２７１の突起当接部２７９が当接可能な突起部２４８が形成される。
【００５３】
スポーク部２２８は、外筒部２３２の外周面から外周リング部２２４に向けて突出し、外周リング部２２４の内周面に繋がる板状に形成される。スポーク部２２８は、リールホイール２２１の回転方向に沿って９０度間隔で４つ形成される。
【００５４】
リールフレーム２５１は、図２２に示すように、樹脂材料を用いて円環状に形成される。リールフレーム２５１の外周側に、リールテープ２１１の一方（リールブラケット４５１に近い右の方）の側縁部が貼り付けられて巻回される外周面部２５５が形成される。外周面部２５５の一方の端部に、リールフレーム２５１の径方向外側へ突出してリールテープ２１１の一方の側縁部に沿って延びるリム部２５６が形成される。
【００５５】
リールフレーム２５１の内周側において、第１リール２０２ａが所定の基準回転位置に回転するとリールセンサ２８１により検出可能な位置に、センサ検出部２５７が形成される。センサ検出部２５７は、リールフレーム２５１（第１リール２０２ａ）の中心軸と略平行に延びるリールフレーム２５１の内周面に対してリールブラケット４５１の方を向くように傾斜した傾斜面状に形成される。センサ検出部２５７は、リールフレーム２５１の内周側の半周分に亘って延びるように形成される。これにより、第１リール２０２ａが１／２回転する毎に、リールセンサ２８１が非検出状態（もしくは検出状態）から検出状態（もしくは非検出状態）に切り替わり、第１リール２０２ａが（１８０度の回転角度だけ
異なる２種類の基準回転位置のうちいずれかの）基準回転位置に回転したことを検出することが可能になる（図３０および図３１も参照）。
【００５６】
リールモータ２６１は、ステッピングモータを用いて構成され、第１リール２０２ａを回転駆動する。図１３に示すように、リールモータ２６１は、モータ本体２６２がモータカバー３００に覆われた状態で、モータカバー３００とともにリールブラケット４５１のカバー取付部４８１に取り付け固定される。図１２に示すように、リールモータ２６１のモータ本体２６２の側部（一方の端部側）に、第１フランジ部２６３と、第２フランジ部２６４と、モータコネクタ２６５とが設けられる。第１フランジ部２６３は、略三角形状に形成され、モータ本体２６２の後方側に配置される。第２フランジ部２６４は、第１フランジ部２６３と同様の略三角形状に形成され、第１フランジ部２６３と反対側のモータ本体２６２の前方側に配置される。モータコネクタ２６５は、モータ本体２６２の上方側に配置される。
【００５７】
図１５に示すように、リールモータ２６１の出力軸２６６は、リール連結部材２７１により第１リール２０２ａと連結される。図１６および図１７にも示すように、リールモータ２６１の出力軸２６６の側部に、軸側係合部２６７が設けられる。軸側係合部２６７は、マシンキー部２６８と、一対の先端側係合部２６９とを有して構成される。マシンキー部２６８は、金属材料を用いて棒状に形成され、出力軸２６６の基端側に径方向に貫通して形成された嵌合穴と（しばりばめにより）嵌合する。これにより、マシンキー部２６８は、両端部が出力軸２６６の側方に突出した状態で、出力軸２６６の基端側に結合される。
【００５８】
先端側係合部２６９は、樹脂材料を用いて、マシンキー部２６８の突出部分よりも外径が大きくて長さが短い筒状に形成される。一対の先端側係合部２６９は、出力軸２６６の側方に突出するマシンキー部２６８の両端部に取り付けられる。これにより、出力軸２６６の側方に、互いに反対方向を向く一対の先端側係合部２６９が配置される。軸側係合部２６７の一対の先端側係合部２６９は、出力軸２６６がリールホイール２２１の軸受筒部２４３（貫通穴２４３ａ）に挿通された状態で、リールホイール２２１の一対のリール側係合部２４４と係合するようになっている。なお、先端側係合部２６９と出力軸２６６との間に、マシンキー部２６８の一部（マシンキー部２６８の突出部分における基端部）が露出する隙間が形成される。
【００５９】
リール連結部材２７１は、図２３および図２４に示すように、樹脂材料を用いてコマ状に形成され、第１リール２０２ａとリールモータ２６１の出力軸２６６とを連結させる。リール連結部材２７１の一方（リールブラケット４５１に近い右の方）の端部側に、リールホイール２２１の軸受筒部２４３とリールモータ２６１の出力軸２６６との隙間に挿入される挿入部２７２が形成される。挿入部２７２は、リールホイール２２１の軸受筒部２４３とリールモータ２６１の出力軸２６６との隙間の形状に合わせた筒状に形成される。挿入部２７２の一方の端部に、挿入部２７２の延伸方向に沿って延びる一対の導入溝部２７３が形成される。挿入部２７２が軸受筒部２４３と出力軸２６６との隙間に挿入されると、軸側係合部２６７の（露出した）マシンキー部２６８が導入溝部２７３に導入されるようになっている（図１６および図１８を参照）。導入溝部２７３の他方（リールブラケット４５１から遠い左の方）の端部に、導入溝部２７３と垂直な方向に延びる係合溝部２７４が形成される。軸受筒部２４３と出力軸２６６との隙間に挿入された挿入部２７２が他方から見て時計回りに回転すると、導入溝部２７３に導入された軸側係合部２６７の（露出した）マシンキー部２６８が係合溝部２７４と係合するようになっている（図１７および図１９を参照）。
【００６０】
リール連結部材２７１の他方（リールブラケット４５１から遠い左の方）の端部側に、
リールホイール２２１のリール連結部材受容部２４７に受容されて外部に露出する露出部２７６が形成される。露出部２７６は、リール連結部材受容部２４７の内周形状に合わせた略円盤状に形成される。露出部２７６の他方の端部に、リール連結部材２７１を中心軸回りに回転させる操作を行うための回転操作部２７７が板状に延びて形成される。回転操作部２７７の中央部は六角柱形に形成され、その先端部に工具（六角レンチ等）を挿入可能な六角穴状の工具係合穴２７８が形成される。露出部２７６の外周部に、フランジ状の突起当接部２７９が形成される。突起当接部２７９は、リール連結部材受容部２４７に受容された露出部２７６が他方から見て時計回りもしくは反時計回りに９０度だけ回転すると、リール連結部材受容部２４７の突起部２４８に当接し、回転操作部２７７を操作してリール連結部材２７１を回転させることが可能な角度範囲を９０度に限定するようになっている。なお、挿入部２７２の内側と、回転操作部２７７の（六角柱形の）中央部の内側とに跨って、出力軸２６６の先端側を受容する受容穴部（図示せず）が形成される。また、工具係合穴２７８の形状は、六角穴状に限らず、ドライバー等の使用する工具の形状に対応した穴形状であればよい。
【００６１】
リール連結部材２７１により第１リール２０２ａとリールモータ２６１の出力軸２６６とを連結させるには、まず、第１リール２０２ａの軸受筒部２４３の貫通穴２４３ａに、リールモータ２６１の出力軸２６６を貫通穴２４３ａの一方の端部から挿通させる。このとき、図１４に示すように、第１リール２０２ａの一対のリール側係合部２４４と、リールモータ２６１の一対の軸側係合部２６７（先端側係合部２６９）とを係合させる。そうすると、軸受筒部２４３と出力軸２６６との間に、リール側係合部２４４と係合した状態の軸側係合部２６７の一部（マシンキー部２６８）を露出させる筒状の隙間が形成される。
【００６２】
次に、図１５に示すように、リール連結部材２７１の挿入部２７２を、貫通穴２４３ａの他方の端部から軸受筒部２４３と出力軸２６６との隙間に挿入する。このとき、軸受筒部２４３の貫通穴２４３ａに挿通された出力軸２６６の先端側がリール連結部材２７１の受容穴部（図示せず）に受容され、出力軸２６６の基端側に設けられた軸側係合部２６７の（露出した）マシンキー部２６８が挿入部２７２の導入溝部２７３に導入される（図１６および図１８を参照）。またこのとき、リール連結部材２７１の露出部２７６が第１リール２０２ａのリール連結部材受容部２４７に受容される。
【００６３】
そして、リール連結部材２７１の回転操作部２７７を手で摘まみ操作して、リール連結部材２７１を他方から見て時計回りに９０度だけ回転させる。このとき、軸受筒部２４３と出力軸２６６との隙間に挿入されたリール連結部材２７１の挿入部２７２が時計回りに回転し、挿入部２７２の導入溝部２７３に導入された軸側係合部２６７の（露出した）マシンキー部２６８が係合溝部２７４と係合する（図１７および図１９を参照）。リール連結部材２７１の係合溝部２７４と、軸側係合部２６７の（露出した）マシンキー部２６８とが係合して、第１リール２０２ａの一対のリール側係合部２４４と、リールモータ２６１の一対の軸側係合部２６７（先端側係合部２６９）とが係合した状態を保持することで、リール連結部材２７１が第１リール２０２ａとリールモータ２６１の出力軸２６６とを連結させることができる。
【００６４】
このように、本実施形態によれば、ネジ等を用いずに、リール連結部材２７１により第１リール２０２ａとリールモータ２６１の出力軸２６６とを連結させることができるため、ドライバー等の工具を使用しなくても、第１リール２０２ａとリールモータ２６１の出力軸２６６とを容易に連結させることが可能になる。また、第１リール２０２ａとリールモータ２６１の出力軸２６６とを連結させたリール連結部材２７１に対して、上述の場合と逆の回転操作等を行うことにより、第１リール２０２ａとリールモータ２６１の出力軸２６６とを容易に分離することが可能である。そのため、リールモータ２６１等を再利用
する際の作業負担を軽減させることができる。また、リール連結部材２７１の露出部２７６は、第１リール２０２ａ（リールホイール２２１）に凹設されたリール連結部材受容部２４７に受容されている。そのため、第１リール２０２ａに対する突出量を抑えつつリール連結部材２７１の回転操作部２７７を大きくすることができ、リール連結部材２７１に対して容易に回転操作等することが可能である。
【００６５】
なお、必要に応じて、六角レンチ等の工具をリール連結部材２７１の工具係合穴２７８に挿入し、六角レンチ等の工具を用いてリール連結部材２７１を回転させることも可能である。工具係合穴２７８の形状は、（プラスもしくはマイナス）ドライバーに対応した穴形状等、使用する工具の形状に対応した穴形状に変更することが可能であり、ドライバー等の工具を用いてリール連結部材２７１を回転させることも可能である。また、工具係合穴２７８にネジ挿通穴を設けるようにすれば、ネジ等（ビスやボルト等）を用いて、リール連結部材２７１とリールモータ２６１の出力軸２６６とを結合させることも可能である。
【００６６】
図２５〜図２６に示すように、モータカバー３００は、第１カバー部材３０１と、第２カバー部材３５１とからなり、リールモータ２６１のモータ本体２６２を覆うように構成される。第１カバー部材３０１は、図２８に示すように、透明の樹脂材料を用いて、モータ本体２６２の約半分を覆う箱状に形成され、第１天井部３１１と、第１側壁部３２１と、第１底部３３１とを有している。第１天井部３１１は、六角形の板を半分にした板状に形成され、モータ本体２６２の他方（リールブラケット４５１から遠い左の方）の端部を覆うようになっている。第１天井部３１１の縁部に、リールモータ２６１の出力軸２６６が挿通される第１軸挿通穴部３１２が形成される。
【００６７】
第１側壁部３２１は、六角形の筒を半分にした形状に形成され、モータ本体２６２の側部を覆うようになっている。第１側壁部３２１の片側の縁部に、リールモータ２６１のモータコネクタ２６５が挿通される第１コネクタ挿通穴部３２２が形成される。第１側壁部３２１における第１コネクタ挿通穴部３２２と同じ側の縁部近傍に、爪形突起状の第１コネクタ側係止爪部３２３が形成される。第１コネクタ側係止爪部３２３には、第２カバー部材３５１の第２コネクタ側係止穴部３７３が係止するようになっている。第１側壁部３２１における第１コネクタ挿通穴部３２２と反対側の縁部近傍に、爪形突起状の第１反対側係止爪部３２４が２つ形成される。第１反対側係止爪部３２４には、第２カバー部材３５１の第２反対側係止穴部３７４が係止するようになっている。
【００６８】
第１底部３３１は、六角形の板を半分にした板状に形成され、モータ本体２６２の一方（リールブラケット４５１に近い右の方）の端部を覆って当該一方の端部に当接するようになっている。第１底部３３１の外周側端部と、第１側壁部３２１の一方の端部とに跨って、第１カバー部材３０１の側方に突出する第１フランジ係合部３３２が形成される。第１フランジ係合部３３２は、リールモータ２６１の第１フランジ部２６３と係合するようになっている。第１底部３３１の外側の面上に、リールブラケット４５１のカバー挿通穴部４８２に挿通される第１取付筒部３３３が形成される。第１取付筒部３３３における第１コネクタ挿通穴部３２２と同じ側の縁部近傍に、第１コネクタ側フランジ部３３４が形成される。第１取付筒部３３３における第１コネクタ挿通穴部３２２と反対側の縁部近傍に、第１反対側フランジ部３３５が形成される。
【００６９】
第２カバー部材３５１は、図２９に示すように、透明の樹脂材料を用いて、モータ本体２６２の残りの半分を覆う箱状に形成され、第２天井部３６１と、第２側壁部３７１と、第２底部３８１とを有している。第２天井部３６１は、六角形の板を半分にした板状に形成され、モータ本体２６２の他方（リールブラケット４５１から遠い左の方）の端部を覆うようになっている。第２天井部３６１の縁部に、リールモータ２６１の出力軸２６６が
挿通される第２軸挿通穴部３６２が形成される。第１カバー部材３０１と第２カバー部材３５１とが結合した状態で、第１軸挿通穴部３１２と第２軸挿通穴部３６２とが一体化して一つの軸挿通穴部を形成するようになっている。
【００７０】
第２側壁部３７１は、六角形の筒を半分にした形状に形成され、モータ本体２６２の側部を覆うようになっている。第２側壁部３７１の片側の縁部に、リールモータ２６１のモータコネクタ２６５が挿通される第２コネクタ挿通穴部３７２が形成される。第１カバー部材３０１と第２カバー部材３５１とが結合した状態で、第１コネクタ挿通穴部３２２と第２コネクタ挿通穴部３７２とが一体化して一つのコネクタ挿通穴部を形成するようになっている。第２側壁部３７１における第２コネクタ挿通穴部３７２と同じ側の縁部近傍に、第１カバー部材３０１の第１コネクタ側係止爪部３２３に係止する第２コネクタ側係止穴部３７３が形成される。第２側壁部３７１における第２コネクタ挿通穴部３７２と反対側の縁部近傍に、第１カバー部材３０１の第１反対側係止爪部３２４に係止する第２反対側係止穴部３７４が２つ形成される。
【００７１】
第２底部３８１は、六角形の板を半分にした板状に形成され、モータ本体２６２の一方（リールブラケット４５１に近い右の方）の端部を覆って当該一方の端部に当接するようになっている。第２底部３８１の外周側端部と、第２側壁部３７１の一方の端部とに跨って、第２カバー部材３５１の側方に突出する第２フランジ係合部３８２が形成される。第２フランジ係合部３８２は、リールモータ２６１の第２フランジ部２６４と係合するようになっている。第２底部３８１の外側の面上に、リールブラケット４５１のカバー挿通穴部４８２に挿通される第２取付筒部３８３が形成される。第２取付筒部３８３における第２コネクタ挿通穴部３７２と同じ側の縁部近傍に、第２コネクタ側フランジ部３８４が形成される。第２取付筒部３８３における第２コネクタ挿通穴部３７２と反対側の縁部近傍に、第２反対側フランジ部３８５が形成される。第１カバー部材３０１と第２カバー部材３５１とが結合した状態で、第１取付筒部３３３と第２取付筒部３８３とが一体化して一つの取付筒部を形成するようになっている。同様に、第１コネクタ側フランジ部３３４と第２コネクタ側フランジ部３８４とが一体化して一つのコネクタ側フランジ部を形成し、第１反対側フランジ部３３５と第２反対側フランジ部３８５とが一体化して一つの反対側フランジ部を形成するようになっている。
【００７２】
モータカバー３００は、リールモータ２６１のモータ本体２６２を覆う状態で、リールブラケット４５１の左側部中央に形成されたカバー取付部４８１に取り付け固定される（図９および図１０を参照）。リールブラケット４５１のカバー取付部４８１は、図１２に示すように、モータカバー３００の第１および第２底部３３１，３８１を支持可能な台形状に形成される。カバー取付部４８１の中央に、モータカバー３００の第１および第２取付筒部３３３，３８３が挿通されるカバー挿通穴部４８２が形成される。第１および第２取付筒部３３３，３８３がカバー挿通穴部４８２に挿通された状態で、モータカバー３００は、カバー取付部４８１に対して着脱可能なカバー着脱位置と、カバー取付部４８１に対して取り付け固定されるカバー取付位置との間で、回転移動可能に構成される。
【００７３】
図１１に示すように、カバー取付部４８１の一方（右方）の面側には、コネクタ側フランジ係止部４８３と、反対側フランジ係止部４８４と、逆転ストッパ部４８５とが設けられる。コネクタ側フランジ係止部４８３は、モータカバー３００がカバー取付位置に回転移動すると、モータカバー３００の第１および第２コネクタ側フランジ部３３４，３８４に係止し、カバー挿通穴部４８２から第１および第２取付筒部３３３，３８３が抜け出すのを規制するようになっている。反対側フランジ係止部４８４は、モータカバー３００がカバー取付位置に回転移動すると、モータカバー３００の第１および第２反対側フランジ部３３５，３８５に係止し、カバー挿通穴部４８２から第１および第２取付筒部３３３，３８３が抜け出すのを規制するようになっている。
【００７４】
逆転ストッパ部４８５は、モータカバー３００のカバー着脱位置からカバー取付位置への回転移動を可能にするが、モータカバー３００がカバー取付位置まで回転移動すると、第１および第２反対側フランジ部３３５，３８５の縁部に近接し、モータカバー３００のカバー取付位置からカバー着脱位置への回転移動を規制するようになっている。例えば、モータカバー３００がカバー着脱位置からカバー取付位置へ回転移動する際、逆転ストッパ部４８５が第１および第２反対側フランジ部３３５，３８５に摺接して弾性変形する。そして、モータカバー３００がカバー取付位置まで回転移動すると、逆転ストッパ部４８５が弾性力により復元して第１および第２反対側フランジ部３３５，３８５の縁部に近接する。逆転ストッパ部４８５が弾性力により復元する際、逆転ストッパ部４８５が不図示のストッパ当接部に当接し、音が鳴るように構成されている。これにより、モータカバー３００がカバー取付位置まで回転移動したことを容易に認識することができる。
【００７５】
モータカバー３００をリールブラケット４５１のカバー取付部４８１に取り付け固定するには、まず、図２７に示すように、リールモータ２６１のモータ本体２６２を約半分ずつ覆うようにして、第１カバー部材３０１および第２カバー部材３５１をモータ本体２６２に装着する。このとき、リールモータ２６１の第１フランジ部２６３と第１カバー部材３０１の第１フランジ係合部３３２とが位置整合し、リールモータ２６１の第２フランジ部２６４と第２カバー部材３５１の第２フランジ係合部３８２とが位置整合するように、第１カバー部材３０１および第２カバー部材３５１の向きを調整する。
【００７６】
次に、図２５〜図２６に示すように、第１カバー部材３０１と第２カバー部材３５１とを接近させて結合させる。このとき、第２カバー部材３５１の第２コネクタ側係止穴部３７３が第１カバー部材３０１の第１コネクタ側係止爪部３２３に係止し、第２カバー部材３５１の第２反対側係止穴部３７４が第１カバー部材３０１の第１反対側係止爪部３２４に係止することで、第１カバー部材３０１と第２カバー部材３５１とが結合保持される。これにより、モータカバー３００がリールモータ２６１のモータ本体２６２を覆う状態となる。
【００７７】
このとき、第１カバー部材３０１の第１フランジ係合部３３２がリールモータ２６１の第１フランジ部２６３と係合し、第２カバー部材３５１の第２フランジ係合部３８２がリールモータ２６１の第２フランジ部２６４と係合することで、モータ本体２６２の側方への移動が規制される。上記の係合に加えて、モータカバー３００の第１および第２底部３３１，３８１がモータ本体２６２の一方の端部に当接することで、モータ本体２６２の一方もしくは他方への移動が規制される。そのため、リールモータ２６１は、モータ本体２６２がモータカバー３００に覆われた状態で、モータカバー３００に対して固定される。
【００７８】
次に、モータカバー３００の第１および第２取付筒部３３３，３８３をリールブラケット４５１のカバー挿通穴部４８２に挿通させる。なお、カバー挿通穴部４８２におけるモータカバー３００の第１および第２コネクタ側フランジ部３３４，３８４の通過部分と、第１および第２反対側フランジ部３３５，３８５の通過部分は、第１および第２コネクタ側フランジ部３３４，３８４の外周形状と、第１および第２反対側フランジ部３３５，３８５の外周形状に合わせて互いに異なる大きさに形成されている。そのため、モータカバー３００を正規の取付方向（カバー着脱位置に対応する方向）に向けた状態でのみ、第１および第２取付筒部３３３，３８３をカバー挿通穴部４８２に挿通させることができるようになっている。
【００７９】
そして、第１および第２取付筒部３３３，３８３がカバー挿通穴部４８２に挿通された状態で、モータカバー３００をカバー着脱位置からカバー取付位置へ回転移動させる。このとき、リールブラケット４５１のコネクタ側フランジ係止部４８３は、モータカバー３
００の第１および第２コネクタ側フランジ部３３４，３８４に係止し、カバー挿通穴部４８２から第１および第２取付筒部３３３，３８３が抜け出すのを規制する。リールブラケット４５１の反対側フランジ係止部４８４は、モータカバー３００の第１および第２反対側フランジ部３３５，３８５に係止し、カバー挿通穴部４８２から第１および第２取付筒部３３３，３８３が抜け出すのを規制する。リールブラケット４５１の逆転ストッパ部４８５は、第１および第２反対側フランジ部３３５，３８５に摺接して弾性変形した後、第１および第２反対側フランジ部３３５，３８５の縁部に近接し、モータカバー３００のカバー取付位置からカバー着脱位置への回転移動を規制する。
【００８０】
これにより、モータカバー３００は、リールモータ２６１のモータ本体２６２を覆う状態で、リールブラケット４５１のカバー取付部４８１に取り付け固定され、リールブラケット４５１は、モータカバー３００およびリールモータ２６１を介して第１リール２０２ａを回転可能に支持することができる（図９および図１０を参照）。このように、本実施形態によれば、リールモータ２６１のモータ本体２６２がモータカバー３００に覆われるため、リールモータ２６１が汚損するのを防止することが可能になる。例えば、リールモータ２６１を長期間使用しても、遊技場で生じる塵埃等（例えば、タバコのヤニ等）によりリールモータ２６１が汚損するのが防止されるため、再利用することが可能なリールモータ２６１の比率を向上させることができる。また、モータカバー３００がリールブラケット４５１のカバー取付部４８１に取り付け固定されるとともに、モータカバー３００の第１フランジ係合部３３２および第２フランジ係合部３８２等により、リールモータ２６１がモータカバー３００に固定される。これにより、ドライバー等の工具を使用しなくても、リールモータ２６１とともにモータカバー３００をリールブラケット４５１に容易に取り付け固定することができる。
【００８１】
図９および図１０に示すように、バックランプユニット４００は、第１リール２０２ａの内側に位置して前方を向くようにリールブラケット４５１に取り付けられ、図柄が描かれた第１リール２０２ａの外周部（リールテープ２１１）を内側から照明可能に構成される。バックランプユニット４００は、図３３〜図３６に示すように、ＬＥＤランプ４０３ａ〜４０３ｃが配設されたバックランプ基板４０１と、バックランプ基板４０１を保持してリールブラケット４５１に取り付けられるバックランプハウス４１１とを有し、第１リール２０２ａにおける図柄３つ分の領域を図柄１つ分の領域ごとに個別に照明することができるようになっている。
【００８２】
前方を向くバックランプ基板４０１の実装面４０２には、上側ＬＥＤランプ４０３ａと、中間ＬＥＤランプ４０３ｂと、下側ＬＥＤランプ４０３ｃとが配設される。また、バックランプ基板４０１の後面には、ランプ基板コネクタ４０５が配設される。上側ＬＥＤランプ４０３ａは、実装面４０２の上側に左右に２つ並んで配設され、第１リール２０２ａにおける図柄３つ分の領域のうち、上側の図柄１つ分の領域を照明する。中間ＬＥＤランプ４０３ｂは、実装面４０２の中央に左右に２つ並んで配設され、第１リール２０２ａにおける図柄３つ分の領域のうち、中央の図柄１つ分の領域を照明する。下側ＬＥＤランプ４０３ｃは、実装面４０２の下側に左右に２つ並んで配設され、第１リール２０２ａにおける図柄３つ分の領域のうち、下側の図柄１つ分の領域を照明する。
【００８３】
バックランプハウス４１１は、樹脂材料を用いて、成形加工により３つのランプ穴部４２１ａ〜４２１ｃを有するブロック状に成形された成形品である。バックランプハウス４１１の右側部に、後方に突出する板状の取付アーム部４１２が形成される。取付アーム部４１２は、３つのランプ穴部４２１ａ〜４２１ｃが前方を向くように、リールブラケット４５１のバックランプ取付部４７４に取り付け固定される。図３５および図３８に示すように、バックランプハウス４１１の後側に、実装面４０２が前方を向くようにバックランプ基板４０１を受容する基板受容部４１３が形成される。基板受容部４１３の右側上部お
よび右側下部に、バックランプ基板４０１の右端部上側および右端部下側に係止する基板係止突起部４１５が形成される。基板受容部４１３の左側に、バックランプ基板４０１の左端部に弾性変形可能に係止する基板固定爪部４１６が形成される。
【００８４】
バックランプ基板４０１は、図３５に示すように、右端部に基板係止突起部４１５が係止するとともに、左端部に基板固定爪部４１６が係止する状態で、基板受容部４１３に受容保持される。バックランプ基板４０１が基板受容部４１３に受容保持された状態で、図３３および図３４に示すように、上側ランプ穴部４２１ａ、中間ランプ穴部４２１ｂ、および下側ランプ穴部４２１ｃを通じて、上側ＬＥＤランプ４０３ａ、中間ＬＥＤランプ４０３ｂ、および下側ＬＥＤランプ４０３ｃが前方に露出するようになっている。上側ランプ穴部４２１ａは、上側ＬＥＤランプ４０３ａを前方に露出させるように、バックランプ基板４０１の上側に開口形成される。中間ランプ穴部４２１ｂは、中間ＬＥＤランプ４０３ｂを前方に露出させるように、バックランプ基板４０１の中央に開口形成される。下側ランプ穴部４２１ｃは、下側ＬＥＤランプ４０３ｃを前方に露出させるように、バックランプ基板４０１の下側に開口形成される。
【００８５】
図３６および図３７に示すように、下側ランプ穴部４２１ｃの後縁部の後側に、バックランプ基板４０１の実装面４０２と接触する接触面４２２が形成される。下側ランプ穴部４２１ｃの後縁部の内周側に、下側ＬＥＤランプ４０３ｃを挿通させる開口を形成する開口形成面４２３が形成される。また、下側ランプ穴部４２１ｃの後縁部に、接触面４２２と開口形成面４２３とに繋がる面取り形の基板側傾斜面４２４が形成される。下側ランプ穴部４２１ｃの前側に、前方に向かうにつれて上下左右に拡がる前方傾斜面４２５が形成される。上側ランプ穴部４２１ａおよび中間ランプ穴部４２１ｂにも、下側ランプ穴部４２１ｃと同様に、接触面４２２、開口形成面４２３、基板側傾斜面４２４、および前方傾斜面４２５が形成されるが、詳細な図示および説明を省略する。
【００８６】
バックランプユニット４００を組み立てるには、まず、バックランプ基板４０１をバックランプハウス４１１の基板受容部４１３に重ねるように配置して、バックランプ基板４０１の右端部をバックランプハウス４１１の基板係止突起部４１５に係止させる。そして、バックランプ基板４０１を基板受容部４１３に向けて押し込むようにして、バックランプ基板４０１の左端部をバックランプハウス４１１の基板固定爪部４１６に係止させる。これにより、バックランプ基板４０１は、右端部に基板係止突起部４１５が係止するとともに、左端部に基板固定爪部４１６が係止する状態で、バックランプハウス４１１の基板受容部４１３に受容保持され、バックランプユニット４００が組み立てられる。
【００８７】
このとき、バックランプ基板４０１の実装面４０２は、バックランプハウス４１１における各ランプ穴部４２１ａ〜４２１ｃの後縁部に形成された接触面４２２と接触する。本実施形態では、各ランプ穴部４２１ａ〜４２１ｃの後縁部に、接触面４２２と開口形成面４２３とに繋がる面取り形の基板側傾斜面４２４が形成される。これにより、バックランプハウス４１１の成形加工におけるパーティングラインの位置を接触面４２２から離れた位置（例えば、基板側傾斜面４２４と開口形成面４２３との境界線の位置）に設定することができる。そのため、バックランプ基板４０１の実装面４０２が各ランプ穴部４２１ａ〜４２１ｃの接触面４２２と接触する際、パーティングラインにおいて発生する微小なバリ等により、バックランプ基板４０１の実装面４０２に傷が付くのを防止することが可能になる。
【００８８】
図１０〜図１２に示すように、リールブラケット４５１は、樹脂材料を用いて板状に形成され、リールブラケット４５１の左側部に、リールモータ２６１およびモータカバー３００と、バックランプユニット４００と、リールセンサ２８１が取り付けられるようになっている。リールブラケット４５１の前部上側に、板状の上側ブラケット結合部４５２が
形成される。上側ブラケット結合部４５２は、ブラケット結合部材４９１を用いて、リールモジュール取付部材５０１における上側フランジ部５０２の中間部左側に結合される。リールブラケット４５１の前部下側に、板状の下側ブラケット結合部４５８が形成される。下側ブラケット結合部４５８は、ブラケット結合部材４９１を用いて、リールモジュール取付部材５０１における下側フランジ部５０８の中間部左側に結合される。なお、ブラケット結合部材４９１は、ナイラッチ等を用いて構成される。
【００８９】
上側ブラケット結合部４５２の左側に、上側コネクタ取付部４５３が形成される。上側コネクタ取付部４５３には、リールモータ２６１とリール中継基板５２１とに電気的に接続されるとともに、リールセンサ２８１とリール中継基板５２１とに電気的に接続される二股のモータケーブル（図示せず）の一端に設けられた第１のモータケーブルコネクタ４５６が取り付けられる。上側コネクタ取付部４５３の両脇に、第１のモータケーブルコネクタ４５６のガイドピン４５７が係合するガイドピン係合穴４５４が形成される。上側コネクタ取付部４５３に取り付けられた第１のモータケーブルコネクタ４５６は、第１リールモジュール２０１ａがリールモジュール取付部材５０１の左側に収容される際、リール中継基板５２１の前部に配設されたリール中継コネクタ（図示せず）と嵌合して電気的に接続されるようになっている。なお、モータケーブル（図示せず）の他端に設けられた第２のモータケーブルコネクタ（図示せず）は、リールモータ２６１のモータコネクタ２６５と電気的に接続される。モータケーブル（図示せず）のもう一つの他端に設けられた第３のモータケーブルコネクタ（図示せず）は、リールセンサ２８１のセンサコネクタ（図示せず）と電気的に接続される。また、上側ブラケット結合部４５２の右下部に、リールモータ２６１およびリールセンサ２８１に向けて延びるモータケーブルが挿通されるケーブル挿通部４５５が切欠き形成される。
【００９０】
リールブラケット４５１の後部上側に、後側コネクタ取付部４６３が形成される。後側コネクタ取付部４６３には、バックランプ基板４０１とランプ中継基板（図示せず）とに電気的に接続されるランプケーブル（図示せず）の一端に設けられた第１のランプケーブルコネクタ４６６が取り付けられる。後側コネクタ取付部４６３の両脇に、第１のランプケーブルコネクタ４６６のガイドピン４６７が係合するガイドピン係合穴４６４が形成される。後側コネクタ取付部４６３に取り付けられた第１のランプケーブルコネクタ４６６は、第１リールモジュール２０１ａがリールモジュール取付部材５０１の左側に収容される際、ランプ中継基板に配設されたランプ中継コネクタ（図示せず）と嵌合して電気的に接続されるようになっている。なお、ランプケーブル（図示せず）の他端に設けられた第２のランプケーブルコネクタ（図示せず）は、バックランプ基板４０１のランプ基板コネクタ４０５と電気的に接続される。
【００９１】
なお、第１リールモジュール２０１ａがリールモジュール取付部材５０１の左側に収容される際、第１のモータケーブルコネクタ４５６がリール中継基板５２１に配設されたリール中継コネクタ（図示せず）と嵌合して電気的に接続されるとともに、第１のランプケーブルコネクタ４６６がランプ中継基板に配設されたランプ中継コネクタ（図示せず）と嵌合して電気的に接続されるように構成される。これにより、第１リールモジュール２０１ａをリールモジュール取付部材５０１の左側に収容して取り付ける作業を行うだけで、リールモータ２６１およびリールセンサ２８１とリール中継基板５２１とを電気的に接続させるとともに、バックランプ基板４０１とランプ中継基板（図示せず）とを電気的に接続させることができる。そのため、従来のように、個別に用意したケーブルを用いて、リールモータ２６１とリール中継基板５２１との電気的接続、リールセンサ２８１とリール中継基板５２１との電気的接続、およびバックランプ基板４０１とランプ中継基板との電気的接続を別々に行う必要がなく、リールユニット２００の組み立て作業を効率よく行うことができる。
【００９２】
リールブラケット４５１の前部中央に、リール間の隙間を覆うためのカラー部４７１が円弧状に形成される。リールブラケット４５１の左側部前側に、バックランプユニット４００が取り付けられるバックランプ取付部４７４が形成される。リールブラケット４５１の左側部中央に、モータカバー３００がリールモータ２６１（モータ本体２６２）を覆う状態で取り付けられるカバー取付部４８１が形成される。カバー取付部４８１には、前述したように、カバー挿通穴部４８２と、コネクタ側フランジ係止部４８３と、反対側フランジ係止部４８４と、逆転ストッパ部４８５とが設けられる。リールブラケット４５１の左側部上側に、リールフレーム２５１の近傍でリールセンサ２８１が取り付けられるセンサ取付部４７７が形成される。
【００９３】
リールセンサ２８１は、図３２に示すように、リールフレーム２５１（第１リール２０２ａ）の中心軸と略平行に延びるリールフレーム２５１の内周面に対してセンサ検出部２５７の方を向くように傾斜して、センサ取付部４７７に取り付けられる。リールセンサ２８１は、いわゆる反射型の光学センサであり、センサ検出部２５７に対して斜め方向に検出光を発光する発光部２８２と、センサ検出部２５７で反射した検出光を受光する受光部２８３とを有して構成される。発光部２８２および受光部２８３は、リールフレーム２５１（第１リール２０２ａ）の中心軸が延びる方向に沿って並んで配置される。また、リールセンサ２８１には、前述の第３のモータケーブルコネクタ（図示せず）と電気的に接続されるセンサコネクタ（図示せず）が設けられる。
【００９４】
第１リール２０２ａがリールモータ２６１により駆動されて回転すると、リールセンサ２８１は、所定の基準回転位置に回転した第１リール２０２ａのセンサ検出部２５７を検出する。このとき、図３２（Ａ）に示すように、リールセンサ２８１の発光部２８２から発光した検出光は、リールフレーム２５１（第１リール２０２ａ）のセンサ検出部２５７で反射してリールセンサ２８１の受光部２８３で検出される。これにより、リールセンサ２８１が非検出状態から検出状態に切り替わる。
【００９５】
リールセンサ２８１が非検出状態から検出状態に切り替わった後、第１リール２０２ａが１／２回転すると、第１リール２０２ａのセンサ検出部２５７がリールセンサ２８１を通り抜けるため、リールセンサ２８１が検出状態から非検出状態に切り替わる。このとき、図３２（Ｂ）に示すように、リールセンサ２８１の発光部２８２から発光した検出光は、リールフレーム２５１（第１リール２０２ａ）のセンサ検出部２５７で反射せずにリールフレーム２５１を通過するため、リールセンサ２８１の受光部２８３で検出されない。なお、リールセンサ２８１が検出状態から非検出状態に切り替わった後、第１リール２０２ａが１／２回転すると、第１リール２０２ａのセンサ検出部２５７がリールセンサ２８１により検出されるため、リールセンサ２８１が非検出状態から検出状態に切り替わる。
【００９６】
本実施形態では、リールフレーム２５１の内周側において、第１リール２０２ａが所定の基準回転位置に回転するとリールセンサ２８１により検出可能な位置に、センサ検出部２５７が形成される。このように、第１リール２０２ａの外周面になるべく近い位置、すなわち回転半径がなるべく大きくなる位置にセンサ検出部２５７が設けられることで、リールセンサ２８１がセンサ検出部２５７を検出したときに検知されるリールモータ２６１の回転角度（ステッピングモータのステップ数）のバラツキを抑えることができる。センサ検出部２５７の回転半径が大きい方が、第１リール２０２ａ（センサ検出部２５７）の周方向位置の検出誤差に対応する、第１リール２０２ａの回転角度の検出誤差が小さくなるからである。そのため、本実施形態によれば、リールモータ２６１の回転角度を高い精度で検知することが可能になる。
【００９７】
また、センサ検出部２５７は、リールフレーム２５１の内周側の半周分に亘って延びるように形成される。これにより、リールセンサ２８１が非検出状態から検出状態に切り替
わるときのリールモータ２６１の回転角度と、リールセンサ２８１が検出状態から非検出状態に切り替わるときのリールモータ２６１の回転角度とを高い精度で検知することができるため、これらの回転角度を用いたリールの回転制御を高い精度で行うことが可能になる。
【００９８】
また、リールセンサ２８１およびリールフレーム２５１のセンサ検出部２５７は、リールフレーム２５１（第１リール２０２ａ）の中心軸と略平行に延びるリールフレーム２５１の内周面に対して傾斜するように配置される。これにより、リールフレーム２５１の中心軸と略平行に延びるリールフレーム２５１の内周面に対する、（反射型の光学センサである）リールセンサ２８１の発光部２８２から発光した検出光の傾斜角度を小さく抑えることができる。そのため、図３２（Ｂ）に示すように、リールフレーム２５１の径方向の厚さを増やすことなく、リールフレーム２５１におけるセンサ検出部２５７が形成されない部分に、リールセンサ２８１の発光部２８２から発光した検出光の逃げ部２５８を形成することが可能になる。従って、リールフレーム２５１の径方向の厚さが小さく抑えられるため、第１リール２０２ａ（リールフレーム２５１）の外周面になるべく近い位置、すなわち回転半径がなるべく大きくなる位置にセンサ検出部２５７を形成することができる。
【００９９】
＜第１実施形態における特徴構成＞
＜リール連結部材の特徴構成＞
本実施形態において、第１リール２０２ａの軸受筒部２４３（貫通穴２４３ａ）に一方の端部からリールモータ２６１の出力軸２６６が挿通され、軸受筒部２４３と出力軸２６６との間に、リール側係合部２４４と係合した軸側係合部２６７の一部（マシンキー部２６８）を露出させる隙間が形成される。そして、リール連結部材２７１は、軸受筒部２４３（貫通穴２４３ａ）の他方の端部から軸受筒部２４３と出力軸２６６との隙間に挿入されて、リール側係合部２４４と係合した状態の軸側係合部２６７の一部（マシンキー部２６８）と係合することで、第１リール２０２ａと出力軸２６６とを連結させる。このようにすれば、前述したように、ネジ等を用いずに、リール連結部材２７１により第１リール２０２ａとリールモータ２６１の出力軸２６６とを連結させることができるため、ドライバー等の工具を使用しなくても、第１リール２０２ａとリールモータ２６１の出力軸２６６とを容易に連結させることが可能になる。
【０１００】
また、リール連結部材２７１の一方側（挿入部２７２）は、軸受筒部２４３と出力軸２６６との隙間の形状に合わせて筒状に形成され、軸受筒部２４３（貫通穴２４３ａ）の他方の端部から軸受筒部２４３と出力軸２６６との隙間に挿入されて、リール側係合部２４４と係合した状態の軸側係合部２６７の一部（マシンキー部２６８）と係合する。このようにすれば、リール連結部材２７１に対して回転操作を行うことができるため、リール連結部材２７１の一方側（挿入部２７２の係合溝部２７４）と軸側係合部２６７の一部（マシンキー部２６８）とを確実に係合させることができる。
【０１０１】
＜リールセンサの特徴構成＞
本実施形態において、リールフレーム２５１の内周側における、第１リール２０２ａが所定の基準回転位置に回転するとリールセンサ２８１により検出可能な位置に、センサ検出部２５７が形成される。このように、第１リール２０２ａの外周面になるべく近い位置、すなわち回転半径がなるべく大きくなる位置にセンサ検出部２５７が設けられることで、前述したように、リールセンサ２８１がセンサ検出部２５７を検出したときに検知されるリールモータ２６１の回転角度（ステッピングモータのステップ数）のバラツキを抑えることができる。そのため、リールモータ２６１の回転角度を高い精度で検知することが可能になる。
【０１０２】
また、センサ検出部２５７は、リールフレーム２５１の内周側の半周分に亘って延びるように形成される。これにより、リールセンサ２８１が非検出状態から検出状態に切り替わるときのリールモータ２６１の回転角度と、リールセンサ２８１が検出状態から非検出状態に切り替わるときのリールモータ２６１の回転角度とを高い精度で検知することができるため、これらの回転角度を用いたリールの回転制御を高い精度で行うことが可能になる。
【０１０３】
＜モータカバーの特徴構成＞
本実施形態において、リールモータ２６１は、モータ本体２６２がモータカバー３００に覆われた状態で、モータカバー３００の第１フランジ係合部３３２および第２フランジ係合部３８２等のモータ固定手段によりリールブラケット４５１に対して固定され、リールブラケット４５１は、リールモータ２６１を介して第１リール２０２ａを回転可能に支持する。このようにすれば、リールモータ２６１のモータ本体２６２がモータカバー３００に覆われるため、リールモータ２６１が汚損するのを防止することが可能になる。また、ドライバー等の工具を使用しなくても、リールモータ２６１とともにモータカバー３００をリールブラケット４５１に容易に取り付け固定することができる。
【０１０４】
＜バックランプユニットの特徴構成＞
本実施形態において、バックランプ基板４０１の実装面４０２と接触して設けられるバックランプハウス４１１（基板接触部材）は、ＬＥＤランプ４０３ａ〜４０３ｃを露出させるランプ穴部４２１ａ〜４２１ｃを有し、ランプ穴部４２１ａ〜４２１ｃにおけるバックランプ基板４０１と接触する側の縁部に、面取り形の基板側傾斜面４２４が形成される。これにより、バックランプハウス４１１の成形加工におけるパーティングラインの位置を実装面４０２との接触面４２２から離れた位置（例えば、基板側傾斜面４２４と開口形成面４２３との境界線の位置）に設定することができる。そのため、バックランプ基板４０１の実装面４０２が各ランプ穴部４２１ａ〜４２１ｃの接触面４２２と接触する際、パーティングラインにおいて発生する微小なバリ等により、バックランプ基板４０１の実装面４０２に傷が付くのを防止することが可能になる。
【０１０５】
＜リールベースの特徴構成＞
本実施形態において、リールユニット固定手段として、リールユニット２００を第１固定位置でリールベース７０に固定する左側ロック部材７６および右側ロック部材７７と、リールユニット２００を第１固定位置と前後方向の位置が異なる第２固定位置でリールベース７０に固定する中央ロック部材７８とが設けられ、前扉の画像表示装置の仕様に応じて選択された第１固定位置もしくは第２固定位置で、リールユニット２００がリールベース７０に固定される。これにより、画像表示装置（前扉）の仕様に応じた専用のリールベースを作製する必要がなく、リールユニット２００が載置されるリールベース７０を共用化することが可能になる。
【０１０６】
＜リールセンサ等の変形例＞
次に、リールセンサおよびリールフレームの変形例、並びにリールセンサが取り付けられるリールブラケットの変形例について、図３９〜図４２を参照して説明する。変形例のリールフレーム６０１は、図３９および図４０に示すように、樹脂材料を用いて円環状に形成される。リールフレーム６０１の外周側に、外周面部６０５およびリム部６０６が形成される。外周面部６０５およびリム部６０６は、上述した第１実施形態の外周面部２５５およびリム部２５６と同様の構成である。なお、リールフレーム６０１を除いた第１リールの構成は、上述した第１実施形態の第１リール２０２ａと同様の構成である。すなわち、変形例の第１リールは、詳細な図示を省略するが、第１実施形態のリールテープ２１１と、第１実施形態のリールホイール２２１と、変形例のリールフレーム６０１とを有して構成される。
【０１０７】
リールフレーム６０１の内周側において、第１リールが所定の基準回転位置に回転するとリールセンサ６８１により検出可能な位置に、センサ検出部６０７が形成される。センサ検出部６０７は、リールフレーム６０１の径方向内側へ突出するリブ状に形成される。センサ検出部６０７は、リールフレーム６０１の内周側の半周分に亘って延びるように形成される。これにより、第１リールが１／２回転する毎に、リールセンサ６８１が非検出状態（もしくは検出状態）から検出状態（もしくは非検出状態）に切り替わり、第１リールが（１８０度の回転角度だけ異なる２種類の基準回転位置のうちいずれかの）基準回転位置に回転したことを検出することが可能になる（図４１および図４２も参照）。
【０１０８】
図３９に示すように、変形例のリールブラケット６５１は、樹脂材料を用いて板状に形成され、リールブラケット６５１の左側部に、第１実施形態のリールモータ２６１およびモータカバー３００と、第１実施形態のバックランプユニット４００と、変形例のリールセンサ６８１が取り付けられるようになっている。リールブラケット６５１の前部上側に、板状の上側ブラケット結合部６５２が形成される。上側ブラケット結合部６５２は、ブラケット結合部材４９１を用いて、リールモジュール取付部材５０１における上側フランジ部５０２の中間部左側に結合される。リールブラケット６５１の前部下側に、板状の下側ブラケット結合部６５８が形成される。下側ブラケット結合部６５８は、ブラケット結合部材４９１を用いて、リールモジュール取付部材５０１における下側フランジ部５０８の中間部左側に結合される。
【０１０９】
リールブラケット６５１の各部には、上述の第１実施形態と同様に、カラー部、バックランプ取付部、およびカバー取付部が形成される（詳細な図示を省略する）。リールブラケット６５１の左側部上側に、第１中継基板６５６および第２中継基板６５７が取り付けられる中継基板取付部６５３が形成される。第１中継基板６５６は、リールモータ２６１およびリールセンサ６８１と電気的に接続される。第２中継基板６５７は、バックランプ基板４０１と電気的に接続される。リールブラケット６５１の左側部下側に、リールフレーム６０１の近傍でリールセンサ６８１が取り付けられるセンサ取付部６７７が形成される。
【０１１０】
変形例のリールセンサ６８１は、図４１および図４２に示すように、リールブラケット６５１と略平行に、リールフレーム６０１の外周側を向くように僅かに下方に傾斜して、センサ取付部６７７に取り付けられる。リールセンサ６８１は、いわゆる反射型の光学センサであり、センサ検出部６０７に対して斜め方向に検出光を発光する発光部６８２と、センサ検出部６０７で反射した検出光を受光する受光部６８３とを有して構成される。発光部６８２および受光部６８３は、リールフレーム６０１（第１リール）の周方向に沿って並んで配置される。また、リールセンサ６８１には、センサケーブル（図示せず）を介して第１中継基板６５６のコネクタと電気的に接続されるセンサコネクタ６８４が設けられる。
【０１１１】
第１リールがリールモータ２６１により駆動されて回転すると、リールセンサ６８１は、所定の基準回転位置に回転した第１リールのセンサ検出部６０７を検出する。このとき、リールセンサ６８１の発光部６８２から発光した検出光は、リールフレーム６０１（第１リール）のセンサ検出部６０７で反射してリールセンサ６８１の受光部６８３で検出される。これにより、リールセンサ６８１が非検出状態から検出状態に切り替わる。
【０１１２】
リールセンサ６８１が非検出状態から検出状態に切り替わった後、第１リールが１／２回転すると、第１リールのセンサ検出部６０７がリールセンサ６８１を通り抜けるため、リールセンサ６８１が検出状態から非検出状態に切り替わる。このとき、リールセンサ６８１の発光部６８２から発光した検出光は、リールフレーム６０１（第１リール）のセン
サ検出部６０７で反射せずにリールフレーム６０１を通過するため、リールセンサ６８１の受光部６８３で検出されない。なお、リールセンサ６８１が検出状態から非検出状態に切り替わった後、第１リールが１／２回転すると、第１リールのセンサ検出部６０７がリールセンサ６８１により検出されるため、リールセンサ６８１が非検出状態から検出状態に切り替わる。
【０１１３】
本変形例においても、リールフレーム６０１の内周側において、第１リールが所定の基準回転位置に回転するとリールセンサ６８１により検出可能な位置に、センサ検出部６０７が形成される。そのため、上述の第１実施形態と同様に、リールモータ２６１の回転角度を高い精度で検知することが可能になる。また、センサ検出部６０７は、リールフレーム６０１の内周側の半周分に亘って延びるように形成される。これにより、リールセンサ６８１が非検出状態から検出状態に切り替わるときのリールモータ２６１の回転角度と、リールセンサ６８１が検出状態から非検出状態に切り替わるときのリールモータ２６１の回転角度とを高い精度で検知することができるため、これらの回転角度を用いたリールの回転制御を高い精度で行うことが可能になる。
【０１１４】
＜第２実施形態のリールモジュールの構成＞
次に、第２実施形態の第１リールモジュール７０１ａについて図４３〜図５３を参照して説明する。第２実施形態の第１リールモジュール７０１ａは、図４３〜図４６に示すように、第１リール２０２ａと、リールモータ２６１と、リール連結部材２７１と、リールセンサ２８１と、モータ固定プレート７１１と、バックランプユニット４００と、リールブラケット７５１とを有して構成される。なお、第２実施形態における、第１リール２０２ａ、リールモータ２６１、リール連結部材２７１、リールセンサ２８１、およびバックランプユニット４００の構成は、上述の第１実施形態と同様の構成であり、これらについては上述の第１実施形態と同一の符号を付して詳細な説明を省略する。
【０１１５】
図４６および図５０に示すように、第２実施形態のリールブラケット７５１は、樹脂材料を用いて板状に形成され、リールブラケット７５１の左側部に、リールモータ２６１と、バックランプユニット４００と、リールセンサ２８１が取り付けられるようになっている。リールブラケット７５１の前部上側に、板状の上側ブラケット結合部７５２が形成される。上側ブラケット結合部７５２は、ブラケット結合部材４９１を用いて、リールモジュール取付部材５０１における上側フランジ部５０２の中間部左側に結合される。リールブラケット７５１の前部下側に、板状の下側ブラケット結合部７５８が形成される。下側ブラケット結合部７５８は、ブラケット結合部材４９１を用いて、リールモジュール取付部材５０１における下側フランジ部５０８の中間部左側に結合される。
【０１１６】
上側ブラケット結合部７５２の左側に、上側コネクタ取付部７５３が形成される。上側コネクタ取付部７５３には、第１実施形態と同様に、第１のモータケーブルコネクタ４５６が取り付けられる。上側コネクタ取付部７５３の両脇に、第１のモータケーブルコネクタ４５６のガイドピン４５７が係合するガイドピン係合穴７５４が形成される。上側コネクタ取付部７５３に取り付けられた第１のモータケーブルコネクタ４５６は、第１リールモジュール７０１ａがリールモジュール取付部材５０１の左側に収容される際、リール中継基板５２１の前部に配設されたリール中継コネクタ（図示せず）と嵌合して電気的に接続されるようになっている。また、上側ブラケット結合部７５２の右下部に、リールモータ２６１およびリールセンサ２８１に向けて延びるモータケーブル（図示せず）が挿通されるケーブル挿通部７５５が切欠き形成される。
【０１１７】
リールブラケット７５１の後部上側に、後側コネクタ取付部７６３が形成される。後側コネクタ取付部７６３には、第１実施形態と同様に、第１のランプケーブルコネクタ４６６が取り付けられる。後側コネクタ取付部７６３の両脇に、第１のランプケーブルコネク
タ４６６のガイドピン４６７が係合するガイドピン係合穴７６４が形成される。後側コネクタ取付部７６３に取り付けられた第１のランプケーブルコネクタ４６６は、第１リールモジュール７０１ａがリールモジュール取付部材５０１の左側に収容される際、ランプ中継基板に配設されたランプ中継コネクタ（図示せず）と嵌合して電気的に接続されるようになっている。
【０１１８】
なお、第１リールモジュール７０１ａがリールモジュール取付部材５０１の左側に収容される際、第１のモータケーブルコネクタ４５６がリール中継基板５２１に配設されたリール中継コネクタ（図示せず）と嵌合して電気的に接続されるとともに、第１のランプケーブルコネクタ４６６がランプ中継基板に配設されたランプ中継コネクタ（図示せず）と嵌合して電気的に接続されるように構成される。これにより、第１実施形態と同様に、リールユニットの組み立て作業を効率よく行うことができる。
【０１１９】
リールブラケット７５１の前部中央に、リール間の隙間を覆うためのカラー部７７１が円弧状に形成される。リールブラケット７５１の左側部前側に、第１実施形態と同様にバックランプユニット４００が取り付けられるバックランプ取付部７７４が形成される。リールブラケット７５１の左側部上側に、第１実施形態と同様にリールセンサ２８１が取り付けられるセンサ取付部４７７が形成される。リールブラケット７５１の左側部中央に、リールモータ２６１のモータ本体２６２を覆うモータカバー部８０１が形成される。
【０１２０】
モータカバー部８０１は、図４７〜図５１に示すように、リールブラケット７５１の左方に突出するドーム状に形成され、天井部８１１と、側壁部８２１と、底部８３１とを有している。天井部８１１は、円板状に形成され、モータ本体２６２の他方（リールブラケット４５１から遠い左の方）の端部を覆って当該他方の端部に当接するようになっている。天井部８１１の中央に、リールモータ２６１の出力軸２６６が挿通される軸挿通穴部８１２が形成される。
【０１２１】
側壁部８２１は、円筒状に形成され、モータ本体２６２の側部を覆うようになっている。側壁部８２１の後側に、モータカバー部８０１の後方に突出する第１フランジ係合部８２２が形成される。第１フランジ係合部８２２は、リールモータ２６１の第１フランジ部２６３と係合するようになっている。側壁部８２１の前側に、モータカバー部８０１の前方に突出する第２フランジ係合部８２３が形成される。第２フランジ係合部８２３は、リールモータ２６１の第２フランジ部２６４と係合するようになっている。側壁部８２１の上側に、リールモータ２６１のモータコネクタ２６５が挿通されるコネクタ挿通穴部８２４が形成される。
【０１２２】
底部８３１は、中央が開口した円盤状に形成され、リールブラケット７５１の左側部に繋がっている。底部８３１の裏側（右側）には、モータ固定プレート７１１が取り付けられるようになっている。底部８３１の上側２箇所と下側１箇所に、モータ固定プレート７１１のプレート側係合部７１３と係合可能なブラケット側係合部８３２が開口形成される。ブラケット側係合部８３２の縁部左側に、プレート側係合部７１３の係合爪部７１５が当接可能なブラケット側当接面８３３が形成される（図４９を参照）。
【０１２３】
モータ固定プレート７１１は、図５２および図５３に示すように、樹脂材料を用いて、中央が開口した円盤状に形成される。モータ固定プレート７１１は、モータカバー部８０１の底部８３１の開口部分を覆うように、モータカバー部８０１の底部８３１の裏側（右側）に取り付けられる。モータ固定プレート７１１の内周側に、モータ固定プレート７１１の左方に突出する底部当接部７１２が形成される。底部当接部７１２は、モータ本体２６２の一方（リールブラケット４５１に近い右の方）の端部に当接するようになっている。
【０１２４】
モータ固定プレート７１１の外周部における上側２箇所と下側１箇所に、モータカバー部８０１のブラケット側係合部８３２と係合可能なプレート側係合部７１３が形成される。プレート側係合部７１３は、弾性変形可能な変形アーム部７１４と、変形アーム部７１４の側面に形成された一対の係合爪部７１５とを有して構成される。変形アーム部７１４は、モータ固定プレート７１１の左方に突出する断面視Ｕ字形の板状に形成される。変形アーム部７１４は、ブラケット側係合部８３２の開口部に挿通されるようになっている。係合爪部７１５は、変形アーム部７１４の側方に突出して形成される。係合爪部７１５は、変形アーム部７１４がブラケット側係合部８３２の開口部に挿通される際、ブラケット側係合部８３２の縁部に当接するようになっている。係合爪部７１５の側部に、ブラケット側係合部８３２の縁部に当接可能な第１プレート側当接面７１６が形成される。係合爪部７１５の一方の端部に、ブラケット側係合部８３２のブラケット側当接面８３３に当接可能な第２プレート側当接面７１７が形成される（図４９を参照）。
【０１２５】
モータ本体２６２がモータカバー部８０１に覆われた状態で、モータ固定プレート７１１によりリールモータ２６１をモータカバー部８０１に固定するには、まず、図４８に示すように、モータ本体２６２をリールブラケット７５１の右方からモータカバー部８０１の内部に収容する。このとき、リールモータ２６１の出力軸２６６をモータカバー部８０１の軸挿通穴部８１２に挿通させる。リールモータ２６１の第１フランジ部２６３をモータカバー部８０１の第１フランジ係合部８２２と係合させる。リールモータ２６１の第２フランジ部２６４をモータカバー部８０１の第２フランジ係合部８２３と係合させる。リールモータ２６１のモータコネクタ２６５をモータカバー部８０１のコネクタ挿通穴部８２４に挿通させる。
【０１２６】
そして、モータ固定プレート７１１のプレート側係合部７１３とモータカバー部８０１のブラケット側係合部８３２とを係合させて、モータ固定プレート７１１をモータカバー部８０１の底部８３１の裏側（右側）に取り付ける。ここで、プレート側係合部７１３の変形アーム部７１４がブラケット側係合部８３２の開口部に挿通される途中では、変形アーム部７１４の側面に形成された係合爪部７１５の第１プレート側当接面７１６がブラケット側係合部８３２の縁部に当接し、変形アーム部７１４がモータ固定プレート７１１の中心側に向けて弾性変形する。変形アーム部７１４がブラケット側係合部８３２の開口部に挿通されると、係合爪部７１５の第１プレート側当接面７１６がブラケット側係合部８３２の縁部から離れる。そのため、変形アーム部７１４は復元しようとするが、変形アーム部７１４が完全に復元する前に（弾性変形が残った状態で）、係合爪部７１５の第２プレート側当接面７１７がブラケット側係合部８３２のブラケット側当接面８３３に当接する。これにより、モータ固定プレート７１１のプレート側係合部７１３とモータカバー部８０１のブラケット側係合部８３２とが係合し、モータ固定プレート７１１がモータカバー部８０１の底部８３１の裏側（右側）に取り付け固定される。
【０１２７】
このとき、モータカバー部８０１の第１フランジ係合部８２２がリールモータ２６１の第１フランジ部２６３と係合し、モータカバー部８０１の第２フランジ係合部８２３がリールモータ２６１の第２フランジ部２６４と係合することで、モータ本体２６２の側方への移動が規制される。モータ固定プレート７１１の底部当接部７１２がモータ本体２６２の一方の端部に当接し、モータカバー部８０１の天井部８１１がモータ本体２６２の他方の端部に当接することで、モータ本体２６２の一方もしくは他方（右方もしくは左方）への移動が規制される。
【０１２８】
そのため、リールモータ２６１は、モータ本体２６２がモータカバー部８０１に覆われた状態で、モータ固定プレート７１１等によりモータカバー部８０１（リールブラケット７５１）に対して固定され、リールブラケット７５１は、リールモータ２６１を介して第
１リール２０２ａを回転可能に支持することができる（図４３および図４４を参照）。このように、本実施形態によれば、リールモータ２６１のモータ本体２６２がモータカバー部８０１に覆われるため、リールモータ２６１が汚損するのを防止することが可能になる。例えば、リールモータ２６１を長期間使用しても、遊技場で生じる塵埃等（例えば、タバコのヤニ等）によりリールモータ２６１が汚損するのが防止されるため、再利用することが可能なリールモータ２６１の比率を向上させることができる。また、リールモータ２６１は、モータ本体２６２がモータカバー部８０１に覆われた状態で、モータ固定プレート７１１等によりモータカバー部８０１（リールブラケット７５１）に対して固定される。これにより、ドライバー等の工具を使用しなくても、リールモータ２６１をリールブラケット７５１に容易に取り付け固定することができる。
【０１２９】
また、プレート側係合部７１３の変形アーム部７１４が完全に復元する前に（弾性変形が残った状態で）、係合爪部７１５の第２プレート側当接面７１７がブラケット側係合部８３２のブラケット側当接面８３３に当接する。これにより、リールモータ２６１のモータ本体２６２の長さが製造誤差等により変化しても、変形アーム部７１４の弾性変形を利用して、モータ固定プレート７１１がモータ本体２６２の一方もしくは他方（右方もしくは左方）に変位するため、モータ固定プレート７１１の底部当接部７１２がモータ本体２６２の他方の端部に当接する状態を維持することができる。そのため、寸法公差を厳しくすることなく容易に、モータ固定プレート７１１によりリールモータ２６１をモータカバー部８０１に固定することができる。
【０１３０】
＜第２実施形態における特徴構成＞
＜モータカバー部の特徴構成＞
本実施形態において、リールモータ２６１は、モータ本体２６２がモータカバー部８０１に覆われた状態で、モータ固定プレート７１１等のモータ固定手段によりリールブラケット７５１に対して固定され、リールブラケット７５１は、リールモータ２６１を介して第１リール２０２ａを回転可能に支持する。このようにすれば、リールモータ２６１のモータ本体２６２がモータカバー部８０１に覆われるため、リールモータ２６１が汚損するのを防止することが可能になる。また、ドライバー等の工具を使用しなくても、リールモータ２６１をリールブラケット７５１に容易に取り付け固定することができる。
【０１３１】
＜変形例＞
上述の各実施形態において、図５４に示すように、リールホイール２２１（外周リング部２２４）の外周面部２２５に溝部２２５ａが形成されるとともに、リールフレーム２５１の外周面部２５５に溝部２５５ａが形成されてもよい。このようにすれば、リールホイール２２１およびリールフレーム２５１を再利用等する際に、リールホイール２２１の外周面部２２５とリールフレーム２５１の外周面部２５５に貼り付けられたリールテープ２１１を剥がしやすくすることができる。なお、リールの強度を維持するため、リールホイール２２１の外周面部２２５のみに溝部２２５ａが形成されてもよい。また、リールホイール２２１およびリールフレーム２５１の外周面部の形状は、溝部を有する形状に限られるものではなく、複数の微細な突起からなる形状であってもよく、面ファスナーのような形状であってもよい。
【０１３２】
上述の各実施形態において、リールモータ２６１の出力軸２６６に、両端部が出力軸２６６の側方に突出する軸側係合部２６７が設けられているが、これに限られるものではない。例えば、出力軸２６６の片側のみに突出する軸側係合部が設けられるようにしてもよい。この場合、リールホイール２２１の軸受筒部２４３とリールモータ２６１の出力軸２６６との隙間（および、当該隙間に挿入されるリール連結部材の挿入部）は、筒状ではなく、半円柱状に偏在して形成されてもよい。
【０１３３】
上述の各実施形態において、センサ検出部２５７（６０７）は、リールフレーム２５１（６０１）の内周側の半周分に亘って延びるように形成されているが、これに限られるものではなく、これよりも短い幅（リールセンサ２８１（６８１）により検出可能な幅）に形成されてもよい。
【０１３４】
上述の第１実施形態において、第１カバー部材３０１の第１側壁部３２１と、第２カバー部材３５１の第２側壁部３７１は、六角形の筒を半分にした形状に形成されているが、これに限られるものではなく、例えば、四角形や八角形等の多角形の筒を半分にした形状に形成されてもよく、略円柱状に形成されたモータ本体２６２の側部における少なくとも４箇所に接する構成であればよい。
【０１３５】
上述の各実施形態において、バックランプハウス４１１のランプ穴部４２１ａ〜４２１ｃにおけるバックランプ基板４０１と接触する側の縁部に、面取り形の基板側傾斜面４２４が形成されているが、これに限られるものではない。例えば、第１演出ランプ１２（もしくは、左右の第２演出ランプ１３ａ，１３ｂ）に設けられたランプハウスのランプ穴部におけるランプ基板と接触する側の縁部に、面取り形の基板側傾斜面が形成されてもよい。
【０１３６】
上述の各実施形態において、本発明が適用される遊技機の一例として、遊技メダルを使用するスロットマシン（回胴式遊技機）１を例示して説明したが、これに限定されるものではなく、例えば、遊技球を使用する回胴式遊技機や、雀球遊技機、アレンジボール機、パチンコ機などについても同様に適用し、同様の効果を得ることができる。
【符号の説明】
【０１３７】
１  スロットマシン（遊技機）
２  前扉（開閉部材）
５  筐体（本体部材）
１１  画像表示装置（１１ａ  表示画面）
７０  リールベース
７６  左側ロック部材
７７  右側ロック部材
７８  中央ロック部材
１０２  前扉（変形例）
１１１  画像表示装置（１１１ａ  表示画面）
２００  リールユニット
２０１ａ  第１リールモジュール（第１実施形態）
２０１ｂ  第２リールモジュール
２０１ｃ  第３リールモジュール
２０２ａ  第１リール
２１１  リールテープ
２２１  リールホイール
２４３  軸受筒部（２４３ａ  貫通穴）
２５１  リールフレーム
２５７  センサ検出部
２６１  リールモータ
２６２  モータ本体
２６６  出力軸
２６７  軸側係合部
２６８  マシンキー部
２６９  先端側係合部
２７１  リール連結部材
２７２  挿入部
２７６  露出部
２８１  リールセンサ
３００  モータカバー
３０１  第１カバー部材
３３２  第１フランジ係合部
３５１  第２カバー部材
３８２  第２フランジ係合部
４００  バックランプユニット
４０１  バックランプ基板
４０２  実装面
４０３ａ  上側ＬＥＤランプ
４０３ｂ  中間ＬＥＤランプ
４０３ｃ  下側ＬＥＤランプ
４１１  バックランプハウス
４２１ａ  上側ランプ穴部
４２１ｂ  中間ランプ穴部
４２１ｃ  下側ランプ穴部
４２２  接触面
４２４  基板側傾斜面
４５１  リールブラケット
４８１  カバー取付部
５０１  リールモジュール取付部材
５０２  上側フランジ部
５０８  下側フランジ部
６０１  リールフレーム（変形例）
６０７  センサ検出部
６５１  リールブラケット（変形例）
６８１  リールセンサ（変形例）
７０１ａ  第１リールモジュール（第２実施形態）
７１１  モータ固定プレート
７５１  リールブラケット
８０１  モータカバー部
８２２  第１フランジ係合部
８２３  第２フランジ係合部
【図１】
2018171162.tif 000003
【図２】
2018171162.tif 000004
【図３】
2018171162.tif 000005
【図４】
2018171162.tif 000006
【図５】
2018171162.tif 000007
【図６】
2018171162.tif 000008
【図７】
2018171162.tif 000009
【図８】
2018171162.tif 000010
【図９】
2018171162.tif 000011
【図１０】
2018171162.tif 000012
【図１１】
2018171162.tif 000013
【図１２】
2018171162.tif 000014
【図１３】
2018171162.tif 000015
【図１４】
2018171162.tif 000016
【図１５】
2018171162.tif 000017
【図１６】
2018171162.tif 000018
【図１７】
2018171162.tif 000019
【図１８】
2018171162.tif 000020
【図１９】
2018171162.tif 000021
【図２０】
2018171162.tif 000022
【図２１】
2018171162.tif 000023
【図２２】
2018171162.tif 000024
【図２３】
2018171162.tif 000025
【図２４】
2018171162.tif 000026
【図２５】
2018171162.tif 000027
【図２６】
2018171162.tif 000028
【図２７】
2018171162.tif 000029
【図２８】
2018171162.tif 000030
【図２９】
2018171162.tif 000031
【図３０】
2018171162.tif 000032
【図３１】
2018171162.tif 000033
【図３２】
2018171162.tif 000034
【図３３】
2018171162.tif 000035
【図３４】
2018171162.tif 000036
【図３５】
2018171162.tif 000037
【図３６】
2018171162.tif 000038
【図３７】
2018171162.tif 000039
【図３８】
2018171162.tif 000040
【図３９】
2018171162.tif 000041
【図４０】
2018171162.tif 000042
【図４１】
2018171162.tif 000043
【図４２】
2018171162.tif 000044
【図４３】
2018171162.tif 000045
【図４４】
2018171162.tif 000046
【図４５】
2018171162.tif 000047
【図４６】
2018171162.tif 000048
【図４７】
2018171162.tif 000049
【図４８】
2018171162.tif 000050
【図４９】
2018171162.tif 000051
【図５０】
2018171162.tif 000052
【図５１】
2018171162.tif 000053
【図５２】
2018171162.tif 000054
【図５３】
2018171162.tif 000055
【図５４】
2018171162.tif 000056